(57)【特許請求の範囲】
【請求項１】
キャリアアグリゲーション（ｃａｒｒｉｅｒ  ａｇｇｒｅｇａｔｉｏｎ）をサポートする無線通信システムにおいて端末が基地局へ制御チャンネルを送信する方法であって、
ＦＤＤ（Ｆｒｅｑｕｅｎｃｙ  Ｄｉｖｉｓｉｏｎ  Ｄｕｐｌｅｘ）モードで動作する第１セルとＴＤＤ（Ｔｉｍｅ  Ｄｉｖｉｓｉｏｎ  Ｄｕｐｌｅｘ）モードで動作する第２セルに対するセル情報を受信する段階と、
ＰＵＣＣＨ  ｆｏｒｍａｔ  １ｂ  ｗｉｔｈ  ｃｈａｎｎｅｌ  ｓｅｌｅｃｔｉｏｎを設定する設定情報を受信する段階と、
ダウンリンクデータに対してダウンリンクスケジューリング情報を受信する段階と、
前記ダウンリンクスケジューリング情報によって前記第１セルの第１サブフレーム及び前記第２セルの第１サブフレームのうち少なくとも１つで前記ダウンリンクデータを受信する段階と、
前記第２セルの前記第１サブフレームがダウンリンクサブフレームの場合、前記ＰＵＣＣＨ  ｆｏｒｍａｔ  １ｂ  ｗｉｔｈ  ｃｈａｎｎｅｌ  ｓｅｌｅｃｔｉｏｎに基づいて前記ダウンリンクデータに対する制御情報を前記第１セルを通じて送信する段階と、
前記第２セルの前記第１サブフレームがアップリンクサブフレームの場合、ＰＵＣＣＨ  ｆｏｒｍａｔ  １ａまたはＰＵＣＣＨ  ｆｏｒｍａｔ  １ｂに基づいて、前記ダウンリンクデータに対する前記制御情報を前記第１セルを通じて送信する段階と、を含む
ことを特徴とする制御チャンネル送信方法。
【請求項２】
前記制御情報は、
前記第２セルの前記第１サブフレームがアップリンクサブフレームの場合、前記第１セルの前記ダウンリンクデータに対するＨＡＲＱ−ＡＣＫ情報を含む
ことを特徴とする、請求項１に記載の制御チャンネル送信方法。
【請求項３】
前記制御情報は、
前記第２セルの前記第１サブフレームがダウンリンクサブフレームの場合、前記第１セル及び前記第２セルの前記ダウンリンクデータに対するＨＡＲＱ−ＡＣＫ情報を含む
ことを特徴とする、請求項１に記載の制御チャンネル送信方法。
【請求項４】
前記制御情報は、
前記第１サブフレームから４サブフレーム以後のサブフレームで送信される
ことを特徴とする、請求項１に記載の制御チャンネル送信方法。
【請求項５】
前記第２セルのＴＤＤモードが動的ＴＤＤ（Ｄｙｎａｍｉｃ  Ｔｉｍｅ  Ｄｉｖｉｓｉｏｎ  Ｄｕｐｌｅｘ）モードであれば、前記第２セルのサブフレームは動的サブフレームである
ことを特徴とする、請求項１に記載の制御チャンネル送信方法。
【請求項６】
前記キャリアアグリゲーションは、セル内のキャリアアグリゲーションである
ことを特徴とする、請求項１に記載の制御チャンネル送信方法。
【請求項７】
キャリアアグリゲーションをサポートする無線通信システムにおいて基地局へ制御チャンネルを送信する装置であって、
前記基地局及び信号、並びにデータを送受信する送受信部と、
ＦＤＤ（Ｆｒｅｑｕｅｎｃｙ  Ｄｉｖｉｓｉｏｎ  Ｄｕｐｌｅｘ）モードで動作する第１セルとＴＤＤ（Ｔｉｍｅ  Ｄｉｖｉｓｉｏｎ  Ｄｕｐｌｅｘ）モードで動作する第２セルに対するセル情報を受信し、ＰＵＣＣＨ  ｆｏｒｍａｔ  １ｂ  ｗｉｔｈ  ｃｈａｎｎｅｌ  ｓｅｌｅｃｔｉｏｎを設定する設定情報を受信し、ダウンリンクデータに対してダウンリンクスケジューリング情報を受信し、前記ダウンリンクスケジューリング情報によって前記第１セルの第１サブフレーム及び前記第２セルの第１サブフレームのうち少なくとも１つで前記ダウンリンクデータを受信し、前記第２セルの前記第１サブフレームがダウンリンクサブフレームの場合、前記ＰＵＣＣＨ  ｆｏｒｍａｔ  １ｂ  ｗｉｔｈ  ｃｈａｎｎｅｌ  ｓｅｌｅｃｔｉｏｎに基づいて前記ダウンリンクデータに対する制御情報を前記第１セルを通じて送信し、前記第２セルの前記第１サブフレームがアップリンクサブフレームの場合、ＰＵＣＣＨ  ｆｏｒｍａｔ  １ａまたはＰＵＣＣＨ  ｆｏｒｍａｔ  １ｂに基づいて、前記ダウンリンクデータに対する前記制御情報を前記第１セルを通じて送信する制御部と、を含む
ことを特徴とする制御チャンネル送信装置。
【請求項８】
前記制御情報は、
前記第２セルの前記第１サブフレームがアップリンクサブフレームの場合、前記第１セルの前記ダウンリンクデータに対するＨＡＲＱ−ＡＣＫ情報を含む
ことを特徴とする、請求項７に記載の制御チャンネル送信装置。
【請求項９】
前記制御情報は、
前記第２セルの前記第１サブフレームがダウンリンクサブフレームの場合、前記第１セル及び前記第２セルの前記ダウンリンクデータに対するＨＡＲＱ−ＡＣＫ情報を含む
ことを特徴とする、請求項７に記載の制御チャンネル送信装置。
【請求項１０】
前記制御情報は、
前記第１サブフレームから４サブフレーム以後のサブフレームで送信される
ことを特徴とする、請求項７に記載の制御チャンネル送信装置。
【請求項１１】
前記第２セルのＴＤＤモードが動的ＴＤＤ（Ｄｙｎａｍｉｃ  Ｔｉｍｅ  Ｄｉｖｉｓｉｏｎ  Ｄｕｐｌｅｘ）モードであれば、前記第２セルのサブフレームは動的サブフレームである
ことを特徴とする、請求項７に記載の制御チャンネル送信装置。
【請求項１２】
前記キャリアアグリゲーションは、セル内のキャリアアグリゲーションである
ことを特徴とする、請求項７に記載の制御チャンネル送信装置。
【発明の詳細な説明】
【技術分野】
【０００１】
本発明は、セル内のキャリアアグリゲーションシステムで制御チャンネル送信方法及び装置に関する。特に、本発明は互いに異なるデュプレキシングモード(デュプレックス構造)で動作する複数のセルを含むセル内のキャリアアグリゲーションシステムで制御チャンネル送信方法及び装置に関する。
【背景技術】
【０００２】
一般的に、移動通信システムはユーザの活動性を保障しながら共に音声サービスを提供するために開発された。しかし、移動通信システムはだんだん音声だけではなくデータサービスまで領域を確張しており、現在には高速のデータサービスを提供することができる程度まで発展した。しかし、現在サービスが提供されている移動通信システムではリソースの不足現象及びユーザの高速サービス要求により、さらに発展した移動通信システムが求められている。
【０００３】
３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ−Ａ(Ｌｏｎｇ Ｔｅｒｍ Ｅｖｏｌｕｔｉｏｎ − Ａｄｖａｎｃｅｄ)は最大１Ｇｂｐｓ程度の送信速度を有する高速パケットに基づく通信を具現する技術である。ＬＴＥ−Ａでは端末が接続するセル数を確張するが、各セルで発生するフィードバックはＰセル(Ｐｒｉｍａｒｙ ｃｅｌｌ)でばかり送信する方法を採択した。また、ＬＴＥ−Ａでは端末に拡張されるすべてのセルは同じのデュプレックス(ｄｕｐｌｅｘ)構造(ｍｏｄｅ)を持っている。したがって、すべてのセルは周波数分割デュプレックス(ＦＤＤ、Ｆｒｅｑｕｅｎｃｙ Ｄｉｖｉｓｉｏｎ Ｄｕｐｌｅｘ)構造を持っていることもでき、時分割デュプレックス(ＴＤＤ、Ｔｉｍｅ Ｄｉｖｉｓｉｏｎ Ｄｕｐｌｅｘ)構造を持っていることもできる。このなかで、ＴＤＤ構造（モード）はＵＬ−ＤＬ設定が維持される静的ＴＤＤ構造であることができ、ＵＬ−ＤＬ設定がシステム情報や上位信号またはダウンリンク共通制御チャンネルにより変化する動的ＴＤＤ構造であることができる。
【発明の概要】
【発明が解決しようとする課題】
【０００４】
基地局により制御される一つのセルがＦＤＤ構造を持ち、一つの周波数バンドが追加される場合、前記一つの周波数バンドはＴＤＤ構造を適用するのに容易である。その理由はＦＤＤを操作するためにはダウンリンク(ＤＬ)とアップリンク(ＵＬ)の間に互いに異なる２個の周波数バンドが必要となるからである。
【０００５】
したがって、前記の場合のように制限的な周波数バンドの追加またはその他の理由によりセル間にデュプレックス構造が互いに異なる場合に、多数のセルから送信されたデータに対する制御チャンネルを送信するための方案が必要である。ダウンリンクデータに対するアップリンク制御チャンネルに関連して多数のセルに対するフィードバックをＰセルでばかり送信しなければならない場合、端末は互いに異なるフレーム構造を持つ（フレームモードで動作する）セルでのフィードバックをＰセルから送信するための技術を要する。また、アップリンクデータに対するダウンリンク制御チャンネルに関連して基地局がアップリンクデータを端末にスケジューリングし、アップリンクデータに対するダウンリンク制御チャンネルを送信するための技術を要する。
【０００６】
前記内容は、ただ本発明の理解を助けるための用途の背景技術情報として記載したことである。本発明に対して従来技術として適用可能することができるか否かはどんな決定や主張も決まらなかった。
【課題を解決するための手段】
【０００７】
本発明の実施形態は、上述した課題及び難点を解決し、以下に記述された少なくとも一つの長所を提供するために開示される。したがって、本発明の一実施形態によれば、互いに異なるデュプレックス構造で動作する複数のセルを含むセル内のキャリアアグリゲーションシステムで制御チャンネル送信方法及び装置を提供する。
【０００８】
本発明の他の実施形態によれば、ＴＤＤセルでのダウンリンクデータに対するアップリンク制御チャンネルを送信するとき、ＦＤＤセルのアップリンク制御チャンネル送信タイミングを用いることを特徴とする。
【０００９】
本発明の他の実施形態によれば、ＴＤＤセルでのアップリンクデータをスケジューリングし、アップリンクデータに対するダウンリンク制御チャンネルを送信するとき、ＦＤＤセルのアップリンクデータスケジューリングタイミング及びダウンリンク制御チャンネル送信タイミングを用いることを特徴とする。
【００１０】
本発明のまた他の実施形態によれば、ＴＤＤセルでのダウンリンクデータに対するアップリンク制御チャンネルを送信するとき、参照ＵＬ−ＤＬ設定タイミングを用いることを特徴とする。
【００１１】
本発明のまた他の実施形態によれば、動的ＴＤＤセルでのアップリンクデータをスケジューリングし、アップリンクデータに対するダウンリンク制御チャンネルを送信するとき、参照ＵＬ−ＤＬ設定によるアップリンクデータスケジューリングタイミング及びダウンリンク制御チャンネル送信タイミングを用いることを特徴とする。
【００１２】
本発明のまた他の実施形態によれば、ＴＤＤ設定によってダウンリンクサブフレームとアップリンクサブフレームが設定されている場合に、ＴＤＤセルのアップリンクサブフレームと一致するＦＤＤセルのアップリンクサブフレームではＴＤＤ設定による制御チャンネル送信タイミングを用い、ＴＤＤセルのアップリンクサブフレームと一致しないＦＤＤセルのアップリンクサブフレームではＦＤＤ設定による制御チャンネル送信タイミングを用いることを特徴とする。
【００１３】
本発明のまた他の実施形態によれば、ＦＤＤセルでのアップリンクデータ送信をＴＤＤセルでスケジューリングし、アップリンクデータに対するダウンリンク制御チャンネルをＴＤＤセルから送信するときのＦＤＤセルで定義された制御チャンネル送信タイミングを適用することを特徴とする。
【００１４】
本発明の一実施形態によれば、セル内のキャリアアグリゲーションをサポートする無線通信システムにおいて、端末が基地局へ制御チャンネルを送信する方法が提供される。前記方法は、ＦＤＤ(Ｆｒｅｑｕｅｎｃｙ Ｄｉｖｉｓｉｏｎ Ｄｕｐｌｅｘ)構造を持つ第１セルとＴＤＤ(Ｔｉｍｅ Ｄｉｖｉｓｉｏｎ Ｄｕｐｌｅｘ)構造を持つ第２セルに対するセル情報を受信する段階と、サブフレームｎに対してダウンリンクデータスケジューリング情報を受信する段階と、前記ダウンリンクデータスケジューリング情報によってサブフレームｎを通じてダウンリンクデータを受信する段階と、及び前記ダウンリンクデータに対する前記第１セルのアップリンク制御チャンネル送信時点に前記第２セルのサブフレームｎの種類（タイプ）によって前記ダウンリンクデータに対する互いに異なる制御情報を前記第１セルを通じて送信する段階と、を含む。
【００１５】
本発明の他の実施形態によれば、セル内のキャリアアグリゲーションをサポートする無線通信システムにおいて、端末が基地局から制御チャンネルを受信する方法が提供される。前記方法は、ＦＤＤ(Ｆｒｅｑｕｅｎｃｙ Ｄｉｖｉｓｉｏｎ Ｄｕｐｌｅｘ)構造を持つ第１セルとＴＤＤ(Ｔｉｍｅ Ｄｉｖｉｓｉｏｎ Ｄｕｐｌｅｘ)構造を持つ第２セルに対するセル情報を受信する段階と、前記第１セルのダウンリンク制御チャンネル送信を通じてアップリンクデータスケジューリング情報を受信する段階と、前記アップリンクデータスケジューリング情報によって前記第２セルを通じてアップリンクデータを送信する段階と、及び前記アップリンクデータに対する前記第１セルのダウンリンク制御チャンネル受信時点に前記第１セルを通じて前記アップリンクデータに対する制御情報を受信する段階と、を含む。
【００１６】
本発明の他の実施形態によれば、セル内のキャリアアグリゲーションをサポートする無線通信システムにおいて、基地局へ制御チャンネルを送信する装置が提供される。前記装置は、前記基地局及び信号、並びにデータを送受信する送受信部と、及びＦＤＤ(Ｆｒｅｑｕｅｎｃｙ Ｄｉｖｉｓｉｏｎ Ｄｕｐｌｅｘ)構造を持つ第１セルとＴＤＤ(Ｔｉｍｅ Ｄｉｖｉｓｉｏｎ Ｄｕｐｌｅｘ)構造を持つ第２セルに対するセル情報を受信し、サブフレームｎに対してダウンリンクデータスケジューリング情報を受信し、前記ダウンリンクデータスケジューリング情報によってサブフレームｎを通じてダウンリンクデータを受信し、前記ダウンリンクデータに対する前記第１セルのアップリンク制御チャンネル送信時点に前記第２セルのサブフレームｎの種類（タイプ）によって前記ダウンリンクデータに対する互いに異なる制御情報を前記第１セルを通じて送信するように制御する制御部と、を含む。
【００１７】
本発明のまた他の実施形態によれば、セル内のキャリアアグリゲーションをサポートする無線通信システムにおいて、基地局から制御チャンネルを受信する装置が提供される。前記装置は前記基地局及び信号、並びにデータを送受信する送受信部と、及びＦＤＤ(Ｆｒｅｑｕｅｎｃｙ Ｄｉｖｉｓｉｏｎ Ｄｕｐｌｅｘ)構造を持つ第１セルとＴＤＤ(Ｔｉｍｅ Ｄｉｖｉｓｉｏｎ Ｄｕｐｌｅｘ)構造を持つ第２セルに対するセル情報を受信し、前記第１セルのダウンリンク制御チャンネル送信を通じてアップリンクデータスケジューリング情報を受信し、前記アップリンクデータスケジューリング情報によって前記第２セルを通じてアップリンクデータを送信し、前記アップリンクデータに対する前記第１セルのダウンリンク制御チャンネル受信時点に前記第１セルを通じて前記アップリンクデータに対する制御情報を受信するように制御する制御部と、を含む。
他の側面、長所、及び核心的特徴は本発明の多様な実施形態を開示した後の詳細な説明、及びこれと共に添付された図面によって当業者に自明である。
【発明の効果】
【００１８】
本発明によれば、互いに異なるデュプレックス構造を持つセルを通じるデータの同時送受信が可能となり、最大送信率を高めることができる。
【図面の簡単な説明】
【００１９】
本発明の実施形態の前記及び他の側面、特徴及び長所は詳細な説明及びここに伴う次の図面によって自明となる。
【図１Ａ】本発明が適用される通信システムを示す図面である。
【図１Ｂ】本発明が適用される通信システムを示す図面である。
【図２Ａ】本発明の実施形態によるＦＤＤセルのタイミングを用いた制御チャンネル送信に対する第１実施形態及び第２実施形態を示す図面である。
【図２Ｂ】本発明の実施形態によるＦＤＤセルのタイミングを用いた制御チャンネル送信に対する第１実施形態と第２実施形態を示す図面である。
【図３Ａ】本発明の第１実施形態及び第２実施形態による基地局と端末の動作を示すフローチャートである。
【図３Ｂ】本発明の第１実施形態及び第２実施形態による基地局と端末の動作を示すフローチャートである。
【図４Ａ】本発明の実施形態によるＦＤＤセルのタイミングを用いた制御チャンネル送信に対する第３実施形態及び第４実施形態を示す図面である。
【図４Ｂ】本発明の実施形態によるＦＤＤセルのタイミングを用いた制御チャンネル送信に対する第３実施形態及び第４実施形態を示す図面である。
【図５Ａ】本発明の第３実施形態及び第４実施形態による基地局と端末の動作を示すフローチャートである。
【図５Ｂ】本発明の第３実施形態及び第４実施形態による基地局と端末の動作を示すフローチャートである。
【図６】本明の実施形態による参照ＵＬ−ＤＬ設定タイミングを用いた制御チャンネル送信に対する第５実施形態を示す図面である。
【図７Ａ】本発明の第５実施形態による基地局と端末の動作を示すフローチャートである。
【図７Ｂ】本発明の第５実施形態による基地局と端末の動作を示すフローチャートである。
【図８】本発明の実施形態による参照ＵＬ−ＤＬ設定タイミングを用いた制御チャンネル送信に対する第６実施形態を示す図面である。
【図９Ａ】本発明の第６実施形態による基地局と端末の動作を示すフローチャートである。
【図９Ｂ】本発明の第６実施形態による基地局と端末の動作を示すフローチャートである。
【図１０】本発明の実施形態による基地局装置を示す図面である。
【図１１】本発明の実施形態による端末装置を示す図面である。
【図１２】本発明の実施形態によるＵＬ−ＤＬ設定タイミングを用いた制御チャンネル送信に対する第７実施形態を示す図面である。
【図１３Ａ】本発明の第７実施形態による基地局と端末の動作を示すフローチャートである。
【図１３Ｂ】本発明の第７実施形態による基地局と端末の動作を示すフローチャートである。
【図１４】本発明の実施形態によるＦＤＤ ＵＬ−ＤＬ設定タイミングを用いた制御チャンネル送信に対する第８実施形態を示す図面である。
【図１５Ａ】本発明の第８実施形態による基地局と端末の動作を示すフローチャートである。
【図１５Ｂ】本発明の第８実施形態による基地局と端末の動作を示すフローチャートである。
【図１６】本発明の実施形態によるＦＤＤ ＵＬ−ＤＬ設定タイミングを用いた制御チャンネル送信に対する第９実施形態を示す図面である。図面全体にかけて同一参照番号は同一要素を示すことに用いられる。
【発明を実施するための形態】
【００２０】
添付図面を参考して記述される以下の内容は請求項、及びそれの均等物により定義される本発明の多様な実施形態の包括的な理解を助けるために提供される。これは単に例示として見なすが前記理解を助けるための多様な具体的な詳細事項を含む。したがって、当業者は本発明の思想及び範囲を逸脱せず本発明に記載した多様な実施形態の多様な変更及び修正が分かる。また、よく知られた機能及び構造に対する説明は明確性及び簡潔性のために省略されることができる。
【００２１】
以下の説明及び請求項に用いられる用語及び単語は、書誌的意味に限定されず、ただ本発明の明確でかつ一貫的な理解が発明者にとって可能になるように用いられる。したがって、本発明の多様な実施形態の記載は例示目的であり、添付の請求項及び均等物により定義される本発明を制限する目的ではないことが当業者に自明であろう。
【００２２】
文脈で明確に相違するように指示するものではない限り、単数形態で記載したことは複数の対象を含むことに理解されなければならない。したがって、例えば、構成表面の言及は一つ以上のそのような表面の言及を含む。
【００２３】
“実質的に”という用語は言及された特性、パラメーター、または値が正確に達成される必要はないが、偏差または変形、例えば当業者に知られた許容誤差、測定誤差、測定正確度の限界及び他の要因が提供しようとする特性効果を排除しない量の内で発生することを意味する。
【００２４】
以下、本明細書ではＬＴＥ(Ｌｏｎｇ Ｔｅｒｍ Ｅｖｏｌｕｔｉｏｎ)システム及びＬＴＥ−Ａ(ＬＴＥ−Ａｄｖａｎｃｅｄ)システムを例えて記述するが、本発明は基地局スケジューリングが適用されるその他の通信システムに別の加減無しに適用可能である。
【００２５】
ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)送信方式は、マルチキャリア(Ｍｕｌｔｉ−ｃａｒｒｉｅｒ)を用いてデータを送信する方式として、直列に入力されるシンボル(Ｓｙｍｂｏｌ)列を並列化し、これらそれぞれを相互直交関係をもって多数のマルチキャリア、すなわち、多数のサブキャリア(Ｓｕｂ−ｃａｒｒｉｅｒチャンネルで変調して送信するマルチキャリア変調(Ｍｕｌｔｉ Ｃａｒｒｉｅｒ Ｍｏｄｕｌａｔｉｏｎ)方式の一種である。
【００２６】
ＯＦＤＭ方式において、変調信号は時間及び周波数で構成された２次元リソース(rｅｓｏｕｒｃｅ)に位置する。時間軸上のリソースは互いに異なるＯＦＤＭシンボルに識別され、これらは互いに直交する。周波数軸上のリソースは互いに異なるサブキャリアに識別され、これらも互いに直交する。すなわち、ＯＦＤＭ方式では時間軸上で特定ＯＦＤＭシンボルを指定して周波数軸上で特定サブキャリアを指定すれば一つの最小単位リソースを指すことができるが、これをリソース要素(ＲＥ：Ｒｅｓｏｕｒｃｅ Ｅｌｅｍｅｎｔ、以下 、‘ＲＥ’と称する)と称する。互いに異なるＲＥは、周波数選択的チャンネル(ｆｒｅｑｕｅｎｃｙ ｓｅｌｅｃｔｉｖｅ ｃｈａｎｎｅｌ)を経ても互いに直交する特性を持ち、互いに異なるＲＥで送信された信号は相互干渉を起こせず受信側に受信されることができる。
【００２７】
物理チャンネルは、一つまたはその以上の符号化されたビット列を変調した変調シンボルを送信する物理階層のチャンネルである。直交周波数分割多元接続(ＯＦＤＭＡ:Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、以下、‘ＯＦＤＭＡ’と称する)システムでは送信する情報列の用途や受信機によって複数の物理チャンネルを構成して送信する。一つの物理チャンネルをあるＲＥに配置して送信するかを送信機と受信機が予め約束しなければならなく、その規則をマッピング(ｍａｐｐｉｎｇ)と言う。
【００２８】
ＯＦＤＭ通信システムにおいて、ダウンリンク帯域(ｂａｎｄｗｉｄｔｈ)は多数個のリソースブロック(ＲＢ：Ｒｅｓｏｕｒｃｅ Ｂｌｏｃｋ、以下、‘ＲＢ’と称する)からなり、各物理的リソースブロック(ＰＲＢ：Ｐｈｙｓｉｃａｌ Ｒｅｓｏｕｒｃｅ Ｂｌｏｃｋ、以下 ‘ＰＲＢ’と称する)は周波数軸に沿って配列された１２個のサブキャリアと、時間軸に沿って配列された１４個または１２個のＯＦＤＭシンボルと、で構成されることができる。ここで前記ＰＲＢはリソース割り当ての基本単位となる。
【００２９】
基準信号(ＲＳ：Ｒｅｆｅｒｅｎｃｅ Ｓｉｇｎａｌ、以下、‘ＲＳ’と称する)は基地局から受信されることで端末がチャンネル推定ができるようにする信号として、ＬＴＥ通信システムでは共通基準信号(ＣＲＳ：Ｃｏｍｍｏｎ Ｒｅｆｅｒｅｎｃｅ Ｓｉｇｎａｌ、以下、‘ＣＲＳ’と称する)と専用基準信号の一つで復調基準信号(ＤＭＲＳ：ＤｅＭｏｄｕｌａｔｉｏｎ Ｒｅｆｅｒｅｎｃｅ Ｓｉｇｎａｌ、以下 ‘ＤＭＲＳ’と称する)を含む。
【００３０】
ＣＲＳは全体ダウンリンク帯域にかけて送信される基準信号ですべての端末が受信可能であり、チャンネル推定、端末のフィードバック情報構成、または制御チャンネル及びデータチャンネルの復調に用いられる。ＤＭＲＳも全体ダウンリンク帯域にかけて送信される基準信号で特定端末のデータチャンネル復調及びチャンネル推定に用いられ、ＣＲＳとは異なりフィードバック情報構成には用いられない。したがって、ＤＭＲＳは端末がスケジューリングするＰＲＢリソースを通じて送信される。
【００３１】
時間軸上でサブフレーム(ｓｕｂｆｒａｍｅ)は、０.５ｍｓｅｃ長さの２個のスロット(ｓｌｏｔ)、即、第１スロット及び第２スロットから構成される。制御チャンネル領域である物理的専用制御チャンネル(ＰＤＣＣＨ：Ｐｈｙｓｉｃａｌ Ｄｅｄｉｃａｔｅｄ Ｃｏｎｔｒｏｌ Ｃｈａｎｎｅｌ、‘ＰＤＣＣＨ’と称する)領域とデータチャンネル領域であるｅＰＤＣＣＨ(ｅｎｈａｎｃｅｄ ＰＤＣＣＨ)領域は時間軸上で分割されて送信される。これは制御チャンネル信号を早く受信して復調するためのことである。だけでなくＰＤＣＣＨ領域は全体ダウンリンク帯域にかけて位置するのに、一つの制御チャンネルが小さな単位の制御チャンネルに分割されて前記全体ダウンリンク帯域に分散して位置する形態を有する。
【００３２】
アップリンクは、制御チャンネル(ＰＵＣＣＨ)とデータチャンネル(ＰＵＳＣＨ)に大別され、ダウンリンクデータチャンネルに対する応答チャンネルとその他のフィードバック情報がデータチャンネルがない場合には制御チャンネルを通じ、データチャンネルがある場合にはデータチャンネルに送信される。
【００３３】
図１Ａ及び図１Ｂは、本発明が適用される通信システムを示す図面である。
図１Ａ及び図１Ｂを参照して説明すれば、図１Ａはネットワークで一つの基地局１０１内にＴＤＤセル１０２とＦＤＤセル１０３が共存する場合を示したものであり、端末１０４はＴＤＤセル１０２とＦＤＤセル１０３を通じて基地局とデータを送受信する。ただ、アップリンク送信はＦＤＤセルがＰセルの場合、ＦＤＤセル１０３を通じてだけ送信する。
【００３４】
図１Ｂは、ネットワークで広いカバレッジのためのマクロ(Ｍａｃｒｏ)基地局１１１とデータ送信量増加のためのピコ(Ｐｉｃｏ)基地局１１２を設置したことを示したものであり、この場合、マクロ基地局１１１はＦＤＤ方式１１６を用い、ピコ基地局１１２はＴＤＤ方式１１５を用いて端末１１４とデータを送受信する。ただ、アップリンク送信はマクロ基地局がＰセルの場合、マクロ基地局１１１を通じてだけ送信する。このとき、マクロ基地局１１１とピコ基地局１１２は理想的なバックホール網を有すると仮定する。したがって、早い基地局間のＸ２通信１１３が可能であり、アップリンク送信がマクロ基地局１１１にだけ送信されても、Ｘ２通信１１３を通じてピコ基地局１１２が関連制御情報をマクロ基地局１１１からリアルタイム受信することが可能である。
本発明で提案する方案が図１Ａのシステムと図１Ｂのシステムにすべての適用が可能であるが、本発明では主に図１Ａのシステムを仮定して説明する。
【００３５】
図２Ａ及び図２Ｂは、本発明の実施形態によるＦＤＤセルのタイミングを用いた制御チャンネル送信に対する第１実施形態及び第２実施形態を示す図面である。
図２Ａ及び図２Ｂの第１実施形態及び第２実施形態を通じてＴＤＤセルでのダウンリンクデータに対するアップリンク制御チャンネルを送信するとき、ＦＤＤセルのアップリンク制御チャンネル送信タイミングを適用することを説明する。
【００３６】
先ず、図２Ａを参照すれば、図２Ａはアップリンク制御チャンネル送信に対する第１実施形態を示したものであり、互いに異なるデュプレックス方式を用いているセルが共存している状況を示したものである。図２ＡでＰセルはＦＤＤ方式２０１であり、ダウンリンク送信のための周波数はｆ１であり、アップリンク送信のための周波数はｆ２である。Ｓセルは静的ＴＤＤ方式２０２であり、ＴＤＤ ＵＬ−ＤＬ設定＃４によってダウンリンクサブフレームとアップリンクサブフレームが設定されている。ＰＤＳＣＨ２０７が静的ＴＤＤセル２０２でのサブフレーム＃７でスケジューリングされると、前記ＰＤＳＣＨ２０７に対するＨＡＲＱ−ＡＣＫは本発明で提案するＦＤＤセルのアップリンク制御チャンネル送信タイミングによる４サブフレーム後の、ＦＤＤセル２０１の周波数ｆ２のアップリンクサブフレーム＃１から送信される。従来技術によれば、ＴＤＤ ＵＬ−ＤＬ設定＃４ではＰＤＳＣＨ２０７に対するＨＡＲＱ−ＡＣＫは６サブフレーム後の、アップリンクサブフレーム＃３から送信されるように設定されている。このとき、ＦＤＤセル２０１でのＰＤＳＣＨ２０６がサブフレーム＃７でスケジューリングされると、前記ＰＤＳＣＨ２０６に対するＨＡＲＱ−ＡＣＫは４サブフレーム後の、ＦＤＤセル２０１の周波数ｆ２のアップリンクサブフレーム＃１から前記のＰＤＳＣＨ２０７に対するＨＡＲＱ−ＡＣＫのように多重化されて送信される(２０８)。
【００３７】
ＦＤＤセル２０１でのＰＤＳＣＨ２０３がサブフレーム＃２でスケジューリングされると、前記ＰＤＳＣＨ２０３に対するＨＡＲＱ−ＡＣＫは４サブフレーム後の、ＦＤＤセル２０１の周波数ｆ２のアップリンクサブフレーム＃６から送信される。このとき、静的ＴＤＤセル２０２でのＰＤＳＣＨ２０４は静的ＴＤＤセル２０２でのサブフレーム＃２がアップリンクサブフレームであるからスケジューリングされない。したがって、ＦＤＤセル２０１の周波数ｆ２のアップリンクサブフレーム＃６では前記のＦＤＤセル２０１のＰＤＳＣＨ２０３に対するＨＡＲＱ−ＡＣＫだけが送信される(２０５)。
【００３８】
このとき、ＦＤＤセルまたはＴＤＤセルだけが共存する状況とは差異が発生する。例えば、２個のＦＤＤセルまたはＴＤＤセルだけが共存する状況ではアップリンクサブフレームでアップリンク制御チャンネルを送信するとき、毎アップリンクサブフレームで同じアップリンク制御チャンネルフォーマットを用いて送信しなければならない。例えば、ＬＴＥ Ｒｅｌ−１０ではｆｏｒｍａｔ １ｂ ｗｉｔｈ ｃｈａｎｎｅｌ ｓｅｌｅｃｔｉｏｎの使用が設定されると、毎アップリンクサブフレームでＰＤＳＣＨスケジューリング可否に構わずに常にｆｏｒｍａｔ １ｂ ｗｉｔｈ ｃｈａｎｎｅｌ ｓｅｌｅｃｔｉｏｎを用いてアップリンク制御チャンネルを送信するようになる。しかし、前記のように静的ＴＤＤセル２０２でのサブフレーム＃２がアップリンクサブフレームである理由などでＰＤＳＣＨ２０４がスケジューリングされない状況では、基地局と端末がｆｏｒｍａｔ １ａまたは１ｂのようにシンプルな送信フォーマット使用を交渉することができるから、前記サブフレームでアップリンク制御チャンネル受信複雑度を減らし、ｆｏｒｍａｔ １ｂ ｗｉｔｈ ｃｈａｎｎｅｌ ｓｅｌｅｃｔｉｏｎのために設定されたアップリンク制御チャンネル送信リソースを他の目的、例えばアップリンクデータ送信のために用いることが可能となる。
【００３９】
もし、前記図２Ａとは反対にＰセルが静的ＴＤＤ方式であり、ＴＤＤ ＵＬ−ＤＬ設定＃４によってダウンリンクサブフレームとアップリンクサブフレームが設定されており、ＳセルがＦＤＤ方式の場合は、ＳセルのダウンリンクサブフレームでＰＤＳＣＨに対するＨＡＲＱ−ＡＣＫはＰセルのＴＤＤ ＵＬ−ＤＬ設定＃４で定義されたＨＡＲＱ−ＡＣＫ送信タイミングによるＰセルのアップリンクサブフレームで送信することができる。ＰセルのサブフレームがアップリンクサブフレームであるからＨＡＲＱ−ＡＣＫ送信タイミングがないＳセルのダウンリンクサブフレームでのＰＤＳＣＨに対するＨＡＲＱ−ＡＣＫは４サブフレーム後に最優先に現われるＰセルのアップリンクサブフレームから送信することができる。若しくは、ＰセルのサブフレームがアップリンクサブフレームであるからＨＡＲＱ−ＡＣＫ送信タイミングがないＳセルのダウンリンクサブフレームでのＰＤＳＣＨはスケジューリングをしないとか、スケジューリングを制限することができる。
【００４０】
次いで、図２Ｂを参照すれば、図２Ｂはアップリンク制御チャンネル送信に対する第２実施形態を示したものであり、互いに異なるデュプレックス方式を用いているセルが共存している状況を示したものである。
【００４１】
図２Ｂにおいて、ＰセルはＦＤＤ方式２１１であり、ダウンリンク送信のための周波数はｆ１であり、アップリンク送信のための周波数はｆ２である。Ｓセルは動的ＴＤＤ方式２１２であり、ＴＤＤ ＵＬ−ＤＬ設定＃４によってダウンリンクサブフレームとアップリンクサブフレームが設定されている。動的ＴＤＤ方式をサポートする動的ＴＤＤセル２１２でサブフレーム＃２と＃３は動的サブフレーム(ｆｌｅｘｉｂｌｅ ｓｕｂｆｒａｍｅ)であるから、ＴＤＤ ＵＬ−ＤＬ設定＃４によって設定されたとおりアップリンクサブフレームで用いることもでき、それとは反対にダウンリンクサブフレームで用いることもできる。動的サブフレームがアップリンクサブフレームで操作されるか、ダウンリンクサブフレームで操作されるかに対する設定情報は上位信号またはシステム情報またはダウンリンク共通制御チャンネルで端末へ送信されることができる。
【００４２】
前記動的サブフレーム設定情報を通じ、動的サブフレーム＃３がダウンリンクサブフレームで操作されるということが端末に送信された場合、ＰＤＳＣＨ２１４が動的ＴＤＤセル２１２での動的サブフレーム＃３でスケジューリングされることができる。前記ＰＤＳＣＨ２１４に対するＨＡＲＱ−ＡＣＫは本発明で提案するＦＤＤセルのアップリンク制御チャンネル送信タイミングによる４サブフレーム後の、ＦＤＤセル２１１の周波数ｆ２のアップリンクサブフレーム＃７から送信される(２１５)。元々ＴＤＤ ＵＬ−ＤＬ設定＃４でのサブフレーム＃３はアップリンクサブフレームであるからＰＤＳＣＨに対するＨＡＲＱ−ＡＣＫ送信のためのタイミングが定義されていない。このとき、ＦＤＤセル２１１でのＰＤＳＣＨ２１３がサブフレーム＃３でスケジューリングされると、前記ＰＤＳＣＨ２１３に対するＨＡＲＱ−ＡＣＫは４サブフレーム後の、ＦＤＤセル２１１の周波数ｆ２のアップリンクサブフレーム＃７で前記のＰＤＳＣＨ２１４に対するＨＡＲＱ−ＡＣＫと共に多重化されて送信される(２１５)。
【００４３】
次いで、前記動的サブフレーム設定情報を通じ、動的サブフレーム＃３がアップリンクサブフレームで操作されるということが端末に送信された場合を仮定する。ＦＤＤセル２１１でのＰＤＳＣＨ２１６がサブフレーム＃３でスケジューリングされると、前記ＰＤＳＣＨ２１６に対するＨＡＲＱ−ＡＣＫは４サブフレーム後の、ＦＤＤセル２１１の周波数ｆ２のアップリンクサブフレーム＃７から送信される。このとき、動的ＴＤＤセル２１２でのＰＤＳＣＨ２１７は動的ＴＤＤセル２１２での動的サブフレーム＃３がアップリンクサブフレームで操作されるからスケジューリングできない。したがって、ＦＤＤセル２１１の周波数ｆ２のアップリンクサブフレーム＃７では前記のＦＤＤセル２１１のＰＤＳＣＨ２１６に対するＨＡＲＱ−ＡＣＫだけが送信される(２１８)。
【００４４】
このとき、ＦＤＤセルまたはＴＤＤセルだけが共存する状況とは差異が発生する。例えば、２個のＦＤＤセルまたはＴＤＤセルだけが共存する状況ではアップリンクサブフレームでアップリンク制御チャンネルを送信するとき、毎アップリンクサブフレームで同じアップリンク制御チャンネルフォーマットを用いて送信しなければならない。例えば、ＬＴＥ Ｒｅｌ−１０ではｆｏｒｍａｔ １ｂ ｗｉｔｈ ｃｈａｎｎｅｌ ｓｅｌｅｃｔｉｏｎの使用が設定されると、毎アップリンクサブフレームでＰＤＳＣＨスケジューリング可否に構わずに常にｆｏｒｍａｔ １ｂ ｗｉｔｈ ｃｈａｎｎｅｌ ｓｅｌｅｃｔｉｏｎを用いてアップリンク制御チャンネルを送信するようになる。しかし、前記のように動的ＴＤＤセル２１２での動的サブフレーム＃３がアップリンクサブフレームで操作されるからＰＤＳＣＨ２１７がスケジューリングされない状況では基地局と端末がｆｏｒｍａｔ １ａまたは１ｂのようにシンプルな送信フォーマット使用を交渉することができるから、前記サブフレームでアップリンク制御チャンネル受信複雑度を減らし、ｆｏｒｍａｔ １ｂ ｗｉｔｈ ｃｈａｎｎｅｌ ｓｅｌｅｃｔｉｏｎのために設定されたアップリンク制御チャンネル送信リソースを他の目的、例えばアップリンクデータ送信のために用いることが可能となる。
【００４５】
もし、前記図２Ｂとは反対にＰセルが動的ＴＤＤ方式であり、ＴＤＤ ＵＬ−ＤＬ設定＃４によってダウンリンクサブフレームとアップリンクサブフレームが設定されており、ＳセルがＦＤＤ方式の場合は、ＳセルのダウンリンクサブフレームでＰＤＳＣＨに対するＨＡＲＱ−ＡＣＫはＰセルの参照ＵＬ−ＤＬ設定で定義されたＨＡＲＱ−ＡＣＫ送信タイミングによるＰセルのアップリンクサブフレームまたはアップリンクサブフレームで操作される動的サブフレームから送信することができる。
【００４６】
前記で参照ＵＬ−ＤＬ設定はＰセルのＵＬ−ＤＬ設定であるＴＤＤ ＵＬ−ＤＬ設定＃４であることができ、ＴＤＤ ＵＬ−ＤＬ設定＃４のダウンリンクサブフレームと動的サブフレームをダウンリンクサブフレームで操作するときのダウンリンクサブフレームを全て含むＴＤＤ ＵＬ−ＤＬ設定で選択することができる。
【００４７】
Ｐセルのサブフレームがアップリンクサブフレームであるから、ＨＡＲＱ−ＡＣＫ送信タイミングがないＳセルのダウンリンクサブフレームでのＰＤＳＣＨに対するＨＡＲＱ−ＡＣＫは４サブフレーム後に最優先に現われるＰセルのアップリンクサブフレームまたはアップリンクサブフレームで操作される動的サブフレームから送信することができる。或いはＰセルのサブフレームがアップリンクサブフレームであるからＨＡＲＱ−ＡＣＫ送信タイミングがないＳセルのダウンリンクサブフレームでのＰＤＳＣＨはスケジューリングをしないとか、スケジューリングを制限することができる。
【００４８】
前記のように、動的ＴＤＤセル２１２のデータに対するアップリンク制御チャンネルを送信するとき、ＦＤＤセル２１１のアップリンク制御チャンネル送信タイミングを用いることによって、次のような効果がある。
【００４９】
一般的に、ＴＤＤセルでＰＤＳＣＨ送信に対するＨＡＲＱ−ＡＣＫを送信するとき、ＴＤＤセルでのアップリンクサブフレームの不足により多数のダウンリンクサブフレームから送信されたＰＤＳＣＨに対するＨＡＲＱ−ＡＣＫを一つのアップリンクサブフレームから送信するための方法で、空間及びタイムバンドリング(ｓｐａｔｉａｌ ｂｕｎｄｌｉｎｇ、ｔｉｍｅ ｂｕｎＤＬｉｎｇ)をサポートする。前記のようなバンドリングを通じて多数のダウンリンクサブフレームでのＰＤＳＣＨに対するＨＡＲＱ−ＡＣＫを圧縮して送信することが可能であるが、基地局は多数のダウンリンクサブフレームのＰＤＳＣＨに対するＨＡＲＱ−ＡＣＫを正確に判断することが不可能であり、データ送信率が落ちるようになる。
【００５０】
したがって、本発明で動的ＴＤＤセル２１２のデータに対するアップリンク制御チャンネルを送信するとき、ＦＤＤセル２１１のアップリンク制御チャンネル送信タイミングを用いることによって、動的ＴＤＤセル２１２の毎ダウンリンクサブフレームでのＰＤＳＣＨに対するＨＡＲＱ−ＡＣＫを４サブフレーム以後のＦＤＤセル２１１のアップリンクサブフレームから送信することができる。したがって、前記のようなバンドリングをする必要がなくなるので、基地局が動的ＴＤＤセル２１２の毎ダウンリンクサブフレームでのＰＤＳＣＨに対するＨＡＲＱ−ＡＣＫを正確に判断することができ、データ送信率を増加させることができる。
【００５１】
図３Ａ及び図３Ｂは、本発明の第１実施形態及び第２実施形態による基地局と端末の動作を示したフローチャートである。
図３において、ＴＤＤセルのダウンリンクデータに対するアップリンク制御チャンネルを送信するとき、ＦＤＤセルのアップリンク制御チャンネル送信タイミングを適用するための基地局と端末の動作をそれぞれのフローチャートを通じて説明する。
【００５２】
先ず、図３Ａを参照して基地局の動作を説明する。段階３０１で基地局はＦＤＤセルとＴＤＤセルに対する情報を端末に送信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることができ、動的ＴＤＤセルの場合、ＵＬ−ＤＬ設定情報と動的サブフレームの設定情報であることもできる。前記ＦＤＤセルとＴＤＤセルに対する情報はシステム情報または上位情報を通じて端末に送信する。
【００５３】
段階３０２で基地局は端末のためにサブフレーム＃ｎでＦＤＤセルとＴＤＤセルでのダウンリンクデータに対するスケジューリングを決定する。次いで段階３０３で基地局はサブフレーム＃ｎでＴＤＤセルのサブフレームがアップリンクサブフレームであるかを判断する。段階３０３でＴＤＤセルのサブフレームがアップリンクサブフレームであれば、段階３０４で基地局はＦＤＤセルのサブフレーム＃(ｎ＋４)でＦＤＤセルでのダウンリンクデータに対する制御情報を受信する。このとき、段階３０２で基地局がサブフレーム＃ｎでＦＤＤセルでのダウンリンクデータスケジューリングをしないことを決定した場合、段階３０４で基地局はＦＤＤセルのサブフレーム＃(ｎ＋４)でＦＤＤセルでのダウンリンクデータに対する制御情報を受信しないようにできる。段階３０３でＴＤＤセルのサブフレームがアップリンクサブフレームではなければ、段階３０５で基地局はＦＤＤセルのサブフレーム＃(ｎ＋４)でＦＤＤセルでのダウンリンクデータに対する制御情報とＴＤＤセルでのダウンリンクデータに対する制御情報を共に受信する。
【００５４】
次いで、図３Ｂを参照して端末の動作を説明する。段階３１１で端末はＦＤＤセルとＴＤＤセルに対する情報を基地局から受信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることができ、動的ＴＤＤセルの場合、ＵＬ−ＤＬ設定情報と動的サブフレームの設定情報であることもできる。端末は前記ＦＤＤセルとＴＤＤセルに対する情報をシステム情報または上位情報を通じて受信する。
【００５５】
段階３１２で端末はサブフレーム＃ｎでＦＤＤセルとＴＤＤセルでのダウンリンクデータに対するスケジューリングを受信する。次いで、段階３１３で端末はサブフレーム＃ｎでＴＤＤセルのサブフレームがアップリンクサブフレームであるかを判断する。段階３１３でＴＤＤセルのサブフレームがアップリンクサブフレームであれば、段階３１４で端末はサブフレームＦＤＤセルの＃(ｎ＋４)でＦＤＤセルでのダウンリンクデータに対する制御情報を送信する。このとき、段階３１２で端末がサブフレーム＃ｎでＦＤＤセルでのダウンリンクデータスケジューリングを受信することができなかった場合、段階３１４で端末はＦＤＤセルのサブフレーム＃(ｎ＋４)でＦＤＤセルでのダウンリンクデータに対する制御情報を送信しないようにできる。段階３１３でＴＤＤセルのサブフレームがアップリンクサブフレームではなければ、段階３１５で端末はＦＤＤセルのサブフレーム＃(ｎ＋４)でＦＤＤセルでのダウンリンクデータに対する制御情報とＴＤＤセルでのダウンリンクデータに対する制御情報を共に送信する。
【００５６】
図４Ａ及び図４Ｂは本発明の実施形態によるＦＤＤセルのタイミングを用いた制御チャンネル送信に対する第３実施形態及び第４実施形態を示す図面である。
図４Ａは、本発明で提案するＦＤＤセルのタイミングを用いた制御チャンネル送信に対する第３実施形態を示す図面である。図４Ａの第３実施形態を通じてＴＤＤセルでのアップリンクデータをスケジューリングし、アップリンクデータに対するダウンリンク制御チャンネルを送信するとき、ＦＤＤセルのアップリンクデータスケジューリングタイミング及びダウンリンク制御チャンネル送信タイミングを適用することを説明する。
【００５７】
先ず、図４Ａを参照すれば、図４Ａはアップリンクデータスケジューリングとダウンリンク制御チャンネル送信に対する第３実施形態を示したものであり、互いに異なるデュプレックス 方式を用いているセルが共存している状況を示したものである。
【００５８】
図４Ａにおいて、ＰセルはＦＤＤ方式４０１であり、ダウンリンク送信のための周波数はｆ１であり、アップリンク送信のための周波数はｆ２である。Ｓセルは静的ＴＤＤ方式４０２であり、ＴＤＤ ＵＬ−ＤＬ設定＃４によってダウンリンクサブフレームとアップリンクサブフレームが設定されている。静的ＴＤＤセル４０２のアップリンクデータをスケジューリングするＰＤＣＣＨ４０３がＦＤＤセル４０１のダウンリンクサブフレーム＃８から送信されると、前記ＰＤＣＣＨ４０３がスケジューリングするアップリンクデータは本発明で提案するＦＤＤセルのダウンリンク制御チャンネル送信に対するアップリンクデータ送信タイミングによる４サブフレーム後の、静的ＴＤＤセル４０２のアップリンクサブフレーム＃２で端末はＰＵＳＣＨ４０４を送信する。
【００５９】
次いで、前記静的ＴＤＤセル４０２のアップリンクサブフレーム＃２でスケジューリングされたＰＵＳＣＨ４０４に対するダウンリンク制御チャンネルは本発明で提案するＦＤＤセルのアップリンクデータ送信に対するダウンリンク制御チャンネル送信タイミングによる４サブフレーム後の、ＦＤＤセル４０１のダウンリンクサブフレーム＃６で基地局がＵＬ ｇｒａｎｔ／ＰＨＩＣＨ４０５を送信する。従来技術によれば、ＴＤＤ ＵＬ−ＤＬ設定＃４ではダウンリンクサブフレーム＃８でのＰＤＣＣＨに対するアップリンクデータは４サブフレーム後のアップリンクサブフレーム＃２から送信され、アップリンクサブフレーム＃２でのＰＵＳＣＨに対するダウンリンク制御チャンネルは６サブフレーム後のダウンリンクサブフレーム＃８から送信されるように設定されている。
【００６０】
したがって、静的ＴＤＤセル４０２のアップリンクデータをスケジューリングし、アップリンクデータに対するダウンリンク制御チャンネルを送信するとき、本発明で提案するＦＤＤセルのアップリンクデータスケジューリングタイミング及びダウンリンク制御チャンネル送信タイミングを用いることによって、既存に静的ＴＤＤセル４０２に定義されているよりも早い制御チャンネル送信タイミングを用いることができるからデータ送信量を増加させることができる。
【００６１】
もし、前記図４Ａとは反対にＰセルが静的ＴＤＤ方式であり、ＴＤＤ ＵＬ−ＤＬ設定＃４によってダウンリンクサブフレームとアップリンクサブフレームが設定されており、ＳセルがＦＤＤ方式の場合は、ＳセルのアップリンクサブフレームでＰＵＳＣＨに対するスケジューリングはＰセルのＴＤＤ ＵＬ−ＤＬ設定＃４で定義されたスケジューリングタイミングでばかりスケジューリングが発生することができる。すなわち、ＳセルのＰＵＳＣＨをスケジューリングするＰＤＣＣＨがＰセルのサブフレーム＃８と＃９でばかりそれぞれ送信されることができる。前記ＰＤＣＣＨによってスケジューリングされたＳセルのＰＵＳＣＨはサブフレーム＃２と＃３からそれぞれ送信される。また、ダウンリンク制御チャンネルはＰセルのＴＤＤ ＵＬ−ＤＬ設定＃４で定義されたタイミングによるＰセルのダウンリンクサブフレームから送信することができる。すなわち、ＳセルのＰＵＳＣＨに対する応答としてＵＬ ｇｒａｎｔ又はＰＨＩＣＨがＰセルのサブフレーム＃８と＃９でばかりそれぞれ送信されることができる。
【００６２】
次いで、図４Ｂを参照すれば、図４Ｂはアップリンクデータスケジューリングとダウンリンク制御チャンネル送信に対する第４実施形態を示したものであり、互いに異なるデュプレックス方式を用いているセルが共存している状況を示したものである。
【００６３】
図４Ｂにおいて、ＰセルはＦＤＤ方式４１１であり、ダウンリンク送信のための周波数はｆ１であり、アップリンク送信のための周波数はｆ２である。Ｓセルは動的ＴＤＤ方式４１２であり、ＴＤＤ ＵＬ−ＤＬ設定＃４によってダウンリンクサブフレームとアップリンクサブフレームが設定されている。
【００６４】
動的ＴＤＤ方式をサポートする動的ＴＤＤセル４１２でサブフレーム＃２と＃３は動的サブフレームとしてＴＤＤ ＵＬ−ＤＬ設定＃４によって設定されたとおりアップリンクサブフレームで用いることもでき、それとは反対にダウンリンクサブフレームで用いることもできる。動的サブフレームがアップリンクサブフレームで操作されるか、ダウンリンクサブフレームで操作されるのかに対する設定情報は上位信号またはシステム情報またはダウンリンク共通制御チャンネルで端末へ送信されることができる。
【００６５】
前記動的サブフレーム設定情報を通じ、動的サブフレーム＃２がアップリンクサブフレーム操作されるということが端末へ送信された場合、ＰＵＳＣＨ４１４が動的ＴＤＤセル４１２での動的サブフレーム＃２でスケジューリングされることができる。動的ＴＤＤセル４１２のアップリンクデータをスケジューリングするＰＤＣＣＨ４１３がＦＤＤセル４１１のダウンリンクサブフレーム＃８から送信されると、前記ＰＤＣＣＨ４１３がスケジューリングするアップリンクデータは本発明で提案するＦＤＤセルのダウンリンク制御チャンネル送信に対するアップリンクデータ送信タイミングによる４サブフレーム後の、動的ＴＤＤセル４１２の動的サブフレーム＃２で端末はＰＵＳＣＨ４１４を送信する。
【００６６】
次いで、前記動的ＴＤＤセル４１２の動的サブフレーム＃２でスケジューリングされたＰＵＳＣＨ４１４に対するダウンリンク制御チャンネルは本発明で提案するＦＤＤセルのアップリンクデータ送信に対するダウンリンク制御チャンネル送信タイミングによる４サブフレーム後の、ＦＤＤセル４１１のダウンリンクサブフレーム＃６で基地局がＵＬ ｇｒａｎｔ／ＰＨＩＣＨ４１５を送信する。
【００６７】
従来技術によれば、ＴＤＤ ＵＬ−ＤＬ設定＃４ではダウンリンクサブフレーム＃８でのＰＤＣＣＨに対するアップリンクデータは４サブフレーム後のアップリンクサブフレーム＃２から送信され、アップリンクサブフレーム＃２でのＰＵＳＣＨに対するダウンリンク制御チャンネルは６サブフレーム後のダウンリンクサブフレーム＃８から送信されるように設定されている。
【００６８】
したがって、動的ＴＤＤセル４１２のアップリンクデータをスケジューリングし、アップリンクデータに対するダウンリンク制御チャンネルを送信するとき、本発明で提案するＦＤＤセルのアップリンクデータスケジューリングタイミング及びダウンリンク制御チャンネル送信タイミングを用いることによって、既存に動的ＴＤＤセル４１２に定義されているよりも早い制御チャンネル送信タイミングを用いることができるからデータ送信量を増加させることができる。
【００６９】
もし、前記図４Ｂとは反対にＰセルが動的ＴＤＤ方式であり、ＴＤＤ ＵＬ−ＤＬ設定＃４によってダウンリンクサブフレームとアップリンクサブフレームが設定されており、ＳセルがＦＤＤ方式の場合は、ＳセルのアップリンクサブフレームでＰＵＳＣＨに対するスケジューリングはＰセルの参照ＵＬ−ＤＬ設定で定義されたスケジューリングタイミングでばかりスケジューリングが発生することができる。前記で参照ＵＬ−ＤＬ設定はＰセルのＵＬ−ＤＬ設定であるＴＤＤ ＵＬ−ＤＬ設定＃４であることができ、ＴＤＤ ＵＬ−ＤＬ設定＃４のアップリンクサブフレームと動的サブフレームをアップリンクサブフレームで操作するときのアップリンクサブフレームを全て含むＴＤＤ ＵＬ−ＤＬ設定と選択することができる。
【００７０】
もし、参照ＵＬ−ＤＬ設定をＴＤＤ ＵＬ−ＤＬ設定＃４と設定すると、ＳセルのＰＵＳＣＨをスケジューリングするＰＤＣＣＨがＰセルのサブフレーム＃８と＃９でばかりそれぞれ送信されることができる。前記ＰＤＣＣＨによってスケジューリングされたＳセルのＰＵＳＣＨは動的サブフレーム＃２と＃３がアップリンクサブフレームでそれぞれ操作される場合、送信される。また、ダウンリンク制御チャンネルはＰセルの参照ＵＬ−ＤＬ設定で定義されたタイミングによるＰセルのダウンリンクサブフレームから送信することができる。もし、参照ＵＬ−ＤＬ設定をＴＤＤ ＵＬ−ＤＬ設定＃４と設定すると、ＳセルのＰＵＳＣＨに対する応答としてＵＬ ｇｒａｎｔ又はＰＨＩＣＨがＰセルのサブフレーム＃８と＃９でばかりそれぞれ送信されることができる。
【００７１】
図５Ａ及び図５Ｂは、本発明の第３実施形態及び第４実施形態による基地局と端末の動作を示すフローチャートである。
図５Ａ及び図５Ｂにおいて、ＴＤＤセルのアップリンクデータをスケジューリングし、アップリンクデータに対するダウンリンク制御チャンネルを送信するとき、ＦＤＤセルのアップリンクデータスケジューリングタイミング及びダウンリンク制御チャンネル送信タイミングを適用するための基地局と端末の動作をそれぞれのフローチャートを通じて説明する。
【００７２】
先ず、図５Ａを参照して基地局の動作を説明する。段階５０１で基地局はＦＤＤセルとＴＤＤセルに対する情報を端末に送信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることができ、動的ＴＤＤセルの場合、ＵＬ−ＤＬ設定情報と動的サブフレームの設定情報であることもできる。前記ＦＤＤセルとＴＤＤセルに対する情報はシステム情報または上位情報を通じて端末に送信する。
【００７３】
段階５０２で基地局は端末のためにＦＤＤセルのサブフレーム＃(ｎ−４)でＴＤＤセルでのアップリンクデータに対するスケジューリングを決定し、スケジューリング情報を端末に送信する。次いで、段階５０３で基地局はＴＤＤセルのサブフレーム＃ｎでアップリンクデータを受信する。段階５０４で基地局はＦＤＤセルのサブフレーム＃(ｎ＋４)でＴＤＤセルでのアップリンクデータに対する制御情報を端末に送信する。
【００７４】
次いで、図５Ｂを参照して端末の動作を説明する。段階５１１で端末はＦＤＤセルとＴＤＤセルに対する情報を基地局から受信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることができ、動的ＴＤＤセルの場合、ＵＬ−ＤＬ設定情報と動的サブフレームの設定情報であることもできる。端末は前記ＦＤＤセルとＴＤＤセルに対する情報をシステム情報または上位情報を通じて受信する。段階５１２で端末はＦＤＤセルのサブフレーム＃(ｎ−４)でＴＤＤセルでのアップリンクデータに対するスケジューリング情報を受信する。段階５１３で端末は前記段階５１２でのスケジューリング情報に基づいてＴＤＤセルのサブフレーム＃ｎでアップリンクデータを送信する。次いで、段階５１４で端末はＦＤＤセルのサブフレーム＃(ｎ＋４)でＴＤＤセルでのアップリンクデータに対する制御情報を受信する。
【００７５】
図６は、本発明の実施形態による参照ＵＬ−ＤＬ設定タイミングを用いた制御チャンネル送信に対する第５実施形態を示す図面である。
図６の第５実施形態を通じてＴＤＤセルでのダウンリンクデータに対するアップリンク制御チャンネルを送信するとき、参照(ｒｅｆｅｒｅｎｃｅ)ＵＬ−ＤＬ設定タイミングを適用することを説明する。
【００７６】
図６を参照すれば、図６はアップリンク制御チャンネル送信に対する第５実施形態を示したものであり、互いに異なるデュプレックス方式を用いているセルが共存している状況を示したものである。
【００７７】
図６において、Ｐセルは静的ＴＤＤ方式６０１であり、ＴＤＤ ＵＬ−ＤＬ設定＃２によってダウンリンクサブフレームとアップリンクサブフレームが設定されている。Ｓセルは動的ＴＤＤ方式６０２であり、ＴＤＤ ＵＬ−ＤＬ設定＃３によってダウンリンクサブフレームとアップリンクサブフレームが設定されている。動的ＴＤＤ方式をサポートする動的ＴＤＤセル６０２でサブフレーム＃４は動的サブフレームとして、ＤＤＵＬ−ＤＬ設定＃３によって設定されたとおりアップリンクサブフレームで用いることもでき、それとは反対にダウンリンクサブフレーム用いることもできる。動的サブフレームがアップリンクサブフレームで操作されるか、ダウンリンクサブフレームで操作されるかに対する設定情報は上位信号またはシステム情報またはダウンリンク共通制御チャンネルで端末へ送信されることができる。
【００７８】
前記動的サブフレーム設定情報を通じ、動的サブフレーム＃４がダウンリンクサブフレームで操作されるということが端末に送信された場合、ＰＤＳＣＨ６０３が動的ＴＤＤセル６０２での動的サブフレーム＃４でスケジューリングされることができる。前記ＰＤＳＣＨ６０３に対するＨＡＲＱ−ＡＣＫは本発明で提案する参照ＵＬ−ＤＬ設定＃５(６０８)のタイミングによる８サブフレーム後の、静的ＴＤＤセル６０１のアップリンクサブフレーム＃２から送信される。このとき、前記でＰＤＳＣＨ６０３のＨＡＲＱ−ＡＣＫが静的ＴＤＤセル６０１のアップリンクサブフレームから送信されるとき、静的ＴＤＤセル６０１での多数のダウンリンクサブフレームでのＰＤＳＣＨ６０５にＨＡＲＱ−ＡＣＫが共に多重化されて送信される(６０４)。
【００７９】
ここで、参照ＵＬ−ＤＬ設定に対する決定方法は、次の通りである。静的ＴＤＤセル６０１のＴＤＤ ＵＬ−ＤＬ設定である＃２のダウンリンクサブフレームと動的ＴＤＤセル６０２のＴＤＤ ＵＬ−ＤＬ設定である＃３のダウンリンクサブフレームと動的ＴＤＤセル６０２の動的サブフレームであるサブフレーム＃４をダウンリンクサブフレームと仮定したときのダウンリンクサブフレームをすべて含むＵＬ−ＤＬ設定を参照ＵＬ−ＤＬ設定と決定する。図６の参照ＵＬ−ＤＬ設定である＃５はＵＬ−ＤＬ設定＃２のダウンリンクサブフレーム、ＵＬ−ＤＬ設定＃３のダウンリンクサブフレーム、そしてＵＬ−ＤＬ設定＃３の動的サブフレームをダウンリンクサブフレームと仮定したときのダウンリンクサブフレームをすべてを含むことを分かる。
図７Ａ及び図７Ｂは、本発明の第５実施形態による基地局と端末の動作を示したフローチャートである。
【００８０】
図７において、動的ＴＤＤセルのダウンリンクデータに対するアップリンク制御チャンネルを送信するとき、参照ＵＬ−ＤＬ設定のタイミングによるアップリンク制御チャンネル送信を適用するための基地局と端末の動作をそれぞれのフローチャートを通じて説明する。
【００８１】
先ず、図７Ａを参照して基地局の動作を説明する。段階７０１で基地局は静的ＴＤＤセルと動的ＴＤＤセルに対する情報を端末へ送信する。前記静的ＴＤＤセルと動的ＴＤＤセルに対する情報は静的ＴＤＤセルのＵＬ−ＤＬ設定情報であることができ、動的ＴＤＤセルの場合、ＵＬ−ＤＬ設定情報と動的サブフレームの設定情報であることもできる。前記静的ＴＤＤセルと動的ＴＤＤセルに対する情報はシステム情報または上位情報を通じて端末へ送信する。段階７０２で基地局は端末のためにサブフレーム＃ｎで動的ＴＤＤセルでのダウンリンクデータに対するスケジューリングを決定する。次いで、段階７０３で基地局は参照ＵＬ−ＤＬ設定による静的ＴＤＤセルのサブフレーム＃(ｎ＋ｋ)で静的ＴＤＤセルでのダウンリンクデータに対する制御情報と動的ＴＤＤセルでのダウンリンクデータに対する制御情報を共に受信する。このとき、ｋは参照ＵＬ−ＤＬ設定によって決定される値である。
【００８２】
次いで、図７Ｂを参照して端末の動作を説明する。段階７１１で端末は静的ＴＤＤセルと動的ＴＤＤセルに対する情報を基地局から受信する。前記静的ＴＤＤセルと動的ＴＤＤセルに対する情報は静的ＴＤＤセルのＵＬ−ＤＬ設定情報であることができ、動的ＴＤＤセルの場合、ＵＬ−ＤＬ設定情報と動的サブフレームの設定情報であることもできる。前記静的ＴＤＤセルと動的ＴＤＤセルに対する情報はシステム情報または上位情報を通じて端末へ送信される。段階７１２で端末はサブフレーム＃ｎで動的ＴＤＤセルでのダウンリンクデータに対するスケジューリング情報を受信する。次いで段階７１３で端末は参照ＵＬ−ＤＬ設定による静的ＴＤＤセルのサブフレーム＃(ｎ＋ｋ)で静的ＴＤＤセルでのダウンリンクデータに対する制御情報と動的ＴＤＤセルでのダウンリンクデータに対する制御情報を共に送信する。このとき、ｋは参照ＵＬ−ＤＬ設定によって決定される値である。
図８は、本発明の実施形態による参照ＵＬ−ＤＬ設定タイミングを用いた制御チャンネル送信に対する第６実施形態を示す図面である。
【００８３】
図８の第６実施形態を通じて動的ＴＤＤセルでのアップリンクデータをスケジューリングし、アップリンクデータに対するダウンリンク制御チャンネルを送信するとき、参照ＵＬ−ＤＬ設定によるアップリンクデータスケジューリングタイミング及びダウンリンク制御チャンネル送信タイミングを適用することを説明する。
【００８４】
図８は、アップリンクデータスケジューリングとダウンリンク制御チャンネル送信に対する第６実施形態を示したものであり、互いに異なるデュプレックス方式を用いているセルが共存している状況を示したものである。図８においてＰセルは静的ＴＤＤ方式８０１であり、ＴＤＤ ＵＬ−ＤＬ設定＃２によってダウンリンクサブフレームとアップリンクサブフレームが設定されている。Ｓセルは動的ＴＤＤ方式８０２であり、ＴＤＤ ＵＬ−ＤＬ設定＃３によってダウンリンクサブフレームとアップリンクサブフレームが設定されている。
【００８５】
動的ＴＤＤ方式をサポートする動的ＴＤＤセル８０２でサブフレーム＃３と＃４は動的サブフレームとして、ＴＤＤ ＵＬ−ＤＬ設定＃３によって設定されたとおりアップリンクサブフレームとして用いることもでき、それとは反対にダウンリンクサブフレームとして用いることもできる。動的サブフレームがアップリンクサブフレームで操作されるか、ダウンリンクサブフレームで操作されるかに対する設定情報は上位信号またはシステム情報またはダウンリンク共通制御チャンネルで端末へ送信されることができる。
【００８６】
前記動的サブフレーム設定情報を通じ、動的サブフレーム＃３がアップリンクサブフレームで操作されるということが端末に送信された場合、ＰＵＳＣＨ８０４が動的ＴＤＤセル８０２での動的サブフレーム＃３でスケジューリングされることができる。動的ＴＤＤセル８０２のアップリンクデータをスケジューリングするＰＤＣＣＨ８０３が静的ＴＤＤセル８０１のダウンリンクサブフレーム＃６から送信されると、前記ＰＤＣＣＨ８０３がスケジューリングするアップリンクデータは本発明で提案する参照ＵＬ−ＤＬ設定＃６(８０６)のタイミングによる７サブフレーム後の、動的ＴＤＤセル８０２の動的サブフレーム＃３で端末はＰＵＳＣＨ８０４を送信する。
【００８７】
次いで前記動的ＴＤＤセル８０２の動的サブフレーム＃３でスケジューリングされたＰＵＳＣＨ８０４に対するダウンリンク制御チャンネルは本発明で提案する参照ＵＬ−ＤＬ設定＃６(８０６)のタイミングによる６サブフレーム後の、静的ＴＤＤセル８０１のダウンリンクサブフレーム＃９で基地局がＵＬ ｇｒａｎｔ／ＰＨＩＣＨ８０５を送信する。
【００８８】
元々ＴＤＤ ＵＬ−ＤＬ設定＃３ではダウンリンクサブフレーム＃９でのＰＤＣＣＨに対するアップリンクデータは４サブフレーム後のアップリンクサブフレーム＃３から送信され、アップリンクサブフレーム＃３でのＰＵＳＣＨに対するダウンリンク制御チャンネルは６サブフレーム後のダウンリンクサブフレーム＃９から送信されるように設定されている。
【００８９】
ここで参照ＵＬ−ＤＬ設定に対する決定方法は次の通りである。静的ＴＤＤセル８０１のＴＤＤ ＵＬ−ＤＬ設定である＃２のアップリンクサブフレームと動的ＴＤＤセル８０２のＴＤＤ ＵＬ−ＤＬ設定である＃３のアップリンクサブフレームと動的ＴＤＤセル８０２の動的サブフレームであるサブフレーム＃３と＃４をすべてのアップリンクサブフレームと仮定したときのアップリンクサブフレームをすべて含むＵＬ−ＤＬ設定を参照ＵＬ−ＤＬ設定と決定する。図８の参照ＵＬ−ＤＬ設定である＃６はＵＬ−ＤＬ設定＃２のアップリンクサブフレーム、ＵＬ−ＤＬ設定＃３のアップリンクサブフレーム、及びＵＬ−ＤＬ設定＃３の動的サブフレームをアップリンクサブフレームと仮定したときのアップリンクサブフレームをすべてを含むことを分かる。
【００９０】
動的ＴＤＤセル８０２のアップリンクデータをスケジューリングし、アップリンクデータに対するダウンリンク制御チャンネルを送信するとき、本発明で提案する参照ＵＬ−ＤＬ設定のアップリンクデータスケジューリングタイミング及びダウンリンク制御チャンネル送信タイミングを用いることによって、既存に静的ＴＤＤセル８０１または動的ＴＤＤセル８０２のＵＬ−ＤＬ設定に定義されているタイミングを適用することができない場合に対しても制御チャンネル送信タイミングを適用することができるからデータ送信量を増加させることができる。
図９Ａ及び図９Ｂは、本発明の第６実施形態による基地局と端末の動作を示すフローチャートである。
【００９１】
図９Ａ及び図９Ｂにおいて、動的ＴＤＤセルのアップリンクデータをスケジューリングし、アップリンクデータに対するダウンリンク制御チャンネルを送信するとき、参照ＵＬ−ＤＬ設定のアップリンクデータスケジューリングタイミング及びダウンリンク制御チャンネル送信タイミングを適用するための基地局と端末の動作をそれぞれのフローチャートを通じて説明する。
【００９２】
先ず、図９Ａを参照して基地局の動作を説明する。段階９０１で基地局は静的ＴＤＤセルと動的ＴＤＤセルに対する情報を端末に送信する。前記動的ＴＤＤセルと静的ＴＤＤセルに対する情報はＴＤＤセルのＵＬ−ＤＬ設定情報であることができ、動的ＴＤＤセルの場合、ＵＬ−ＤＬ設定情報と動的サブフレームの設定情報であることもできる。前記静的ＴＤＤセルと動的ＴＤＤセルに対する情報はシステム情報または上位情報を通じて端末に送信する。段階９０２で基地局は端末のために参照ＵＬ−ＤＬ設定による静的ＴＤＤセルのサブフレーム＃(ｎ−ｋ１)で動的ＴＤＤセルでのアップリンクデータに対するスケジューリングを決定し、スケジューリング情報を端末に送信する。次いで段階９０３で基地局は動的ＴＤＤセルのサブフレーム＃ｎでアップリンクデータを受信する。段階９０４で基地局は参照ＵＬ−ＤＬ設定による静的ＴＤＤセルのサブフレーム＃(ｎ＋ｋ２)で動的ＴＤＤセルでのアップリンクデータに対する制御情報を端末に送信する。前記でｋ１とｋ２は参照ＵＬ−ＤＬ設定により決定される値である。
【００９３】
次いで、図９Ｂを参照して端末の動作を説明する。段階９１１で端末は静的ＴＤＤセルと動的ＴＤＤセルに対する情報を基地局から受信する。前記動的ＴＤＤセルと静的ＴＤＤセルに対する情報はＴＤＤセルのＵＬ−ＤＬ設定情報であることができ、動的ＴＤＤセルの場合、ＵＬ−ＤＬ設定情報と動的サブフレームの設定情報であることもできる。前記静的ＴＤＤセルと動的ＴＤＤセルに対する情報はシステム情報または上位情報を通じて端末へ送信される。段階９１２で端末は参照ＵＬ−ＤＬ設定による静的ＴＤＤセルのサブフレーム＃(ｎ−ｋ１)で動的ＴＤＤセルでのアップリンクデータに対するスケジューリング情報を受信する。次いで、段階９１３で端末は動的ＴＤＤセルのサブフレーム＃ｎでアップリンクデータを受信する。段階９１４で端末は参照ＵＬ−ＤＬ設定による静的ＴＤＤセルのサブフレーム＃(ｎ＋ｋ２)で動的ＴＤＤセルでのアップリンクデータに対する制御情報を基地局から受信する。前記でｋ１とｋ２は参照ＵＬ−ＤＬ設定によって決定される値である。
【００９４】
以下ではＰセルが静的ＴＤＤ方式であり、ＴＤＤ ＵＬ−ＤＬ設定＃３によりダウンリンクサブフレームとアップリンクサブフレームが設定されており、ＳセルがＦＤＤ方式の場合に対する実施形態を説明する。
【００９５】
図１２は、本発明の実施形態によりＦＤＤセルのアップリンクサブフレームがＴＤＤセルのアップリンクサブフレームと一致するか否かによって制御チャンネルを送信する第７実施形態を示す図面である。
【００９６】
図１２の第７実施形態を通じてＦＤＤセルでのアップリンクデータをＴＤＤセルでスケジューリングし、アップリンクデータに対するダウンリンク制御チャンネルをＴＤＤセルから送信するとき、ＴＤＤセルのアップリンクサブフレームと一致するＦＤＤセルのアップリンクサブフレームではＴＤＤセルのＵＬ−ＤＬ設定により定義された制御チャンネル送信タイミングを用い、ＴＤＤセルのアップリンクサブフレームと一致しないＦＤＤセルのアップリンクサブフレームではｎ＋４ルールまたはｎ＋５ルールタイミングを適用する場合を説明する。
【００９７】
先ず、図１２を参照すれば、図１２はアップリンクデータスケジューリングとダウンリンク制御チャンネル送信に対する第７実施形態を示したものであり、互いに異なるデュプレックス 方式を用いているセルが共存している状況を示したものである。
【００９８】
図１２において、ＰセルはＴＤＤ方式１２０１であり、ＴＤＤ ＵＬ−ＤＬ設定＃３によってダウンリンクサブフレームとアップリンクサブフレームが設定されている。ＳセルはＦＤＤ方式１２０２であり、ダウンリンク送信のための周波数はｆ１であり、アップリンク送信のための周波数はｆ２である。
【００９９】
従来技術によれば、ＴＤＤセル１２０１のアップリンクサブフレーム＃４でのアップリンクデータをスケジューリングするＰＤＣＣＨはＴＤＤセル１２０１のダウンリンクサブフレーム＃０から送信され、前記アップリンクサブフレーム＃４でのアップリンクデータに対するＨＡＲＱ−ＡＣＫとしてＵＬ ｇｒａｎｔ／ＰＨＩＣＨはＴＤＤセル１２０１のダウンリンクサブフレーム＃０からさらに送信される。
【０１００】
ＴＤＤセル１２０１で同じガラのサブフレームはＰＤＣＣＨをスケジューリングし、ＰＵＳＣＨを送信し、ＵＬ ｇｒａｎｔ／ＰＨＩＣＨを受信する一つのアップリンクＨＡＲＱプロセスを構成する。先ず、ＴＤＤセルのアップリンクサブフレームと一致するＦＤＤセルのアップリンクサブフレームではＴＤＤセルのＵＬ−ＤＬ設定により定義された制御チャンネル送信タイミングを用いる方法に対して説明する。
【０１０１】
ＴＤＤセル１２０１のアップリンクサブフレーム＃４とサブフレームインデックスが一致するＦＤＤセル１２０２のサブフレーム＃４がアップリンクであり、ＦＤＤセル１２０２のアップリンクデータをスケジューリングするＰＤＣＣＨ１２０３がＴＤＤセル１２０１のダウンリンクサブフレーム＃０から送信されると、本発明で提案するＴＤＤセルのアップリンクサブフレームと一致するＦＤＤセルのアップリンクサブフレームではＴＤＤセルのＵＬ−ＤＬ設定により定義された制御チャンネル送信タイミングによる、ＦＤＤセル１２０２のアップリンクサブフレーム＃４からＰＵＳＣＨ１２０４が送信される。
【０１０２】
次いで、前記ＦＤＤセル１２０２のアップリンクサブフレーム＃４からスケジューリングされたＰＵＳＣＨ１２０４に対するダウンリンク制御チャンネルは本発明で提案するＴＤＤセルのアップリンクサブフレームと一致するＦＤＤセルのアップリンクサブフレームではＴＤＤセルのＵＬ−ＤＬ設定により定義された制御チャンネル送信タイミングによる、ＴＤＤセル１２０１のダウンリンクサブフレーム＃０でからＵＬ ｇｒａｎｔ／ＰＨＩＣＨ１２０５が送信される。
【０１０３】
次いで、ＴＤＤセルのアップリンクサブフレームと一致しないＦＤＤセルのアップリンクサブフレームではｎ＋４ルールによって制御チャンネル送信タイミングを適用する場合を説明する。この方法は、ＦＤＤセルでアップリンクデータが送信される時点を基準で４サブフレーム前または４サブフレーム後でＴＤＤセルのサブフレームダウンリンクサブフレームの場合にだけ適用される。
【０１０４】
ＴＤＤセル１２０１のアップリンクサブフレームとサブフレームインデックスが一致しないＦＤＤセル１２０２のアップリンクサブフレーム＃１でのアップリンクデータをスケジューリングするために、本発明で提案するＴＤＤセルのアップリンクサブフレームと一致しないＦＤＤセルのアップリンクサブフレームではｎ＋４ルールによる４サブフレーム前の、ＴＤＤセル１２０１のダウンリンクサブフレーム＃７でＰＤＣＣＨ１２０６が送信される。
【０１０５】
次いで、前記ＦＤＤセル１２０２のアップリンクサブフレーム＃１からスケジューリングされたＰＵＳＣＨ１２０７に対するダウンリンク制御チャンネルは本発明で提案するＴＤＤセルのアップリンクサブフレームと一致しないＦＤＤセルのアップリンクサブフレームではｎ＋４ルールによる４サブフレーム後の、ＴＤＤセル１２０１のダウンリンクサブフレーム＃５からＵＬ ｇｒａｎｔ１２０８が送信される。前記ダウンリンクサブフレーム＃５はＰＨＩＣＨが定義されていないダウンリンクサブフレームであるから、再送信要請がある場合、ＵＬ ｇｒａｎｔが送信され、ＵＬ ｇｒａｎｔが送信されない場合、アップリンクデータの復号が成功したことで見なす。
【０１０６】
次いで、ＴＤＤセルのアップリンクサブフレームと一致しないＦＤＤセルのアップリンクサブフレームでｎ＋５ルールによって定義された制御チャンネル送信タイミングを適用する場合を説明する。この方法は、ＦＤＤセルでアップリンクデータが送信される時点を基準で５サブフレーム前または５サブフレーム後でＴＤＤセルのサブフレームがダウンリンクサブフレームの場合にだけ適用される。
【０１０７】
ＴＤＤセル１２０１のアップリンクサブフレームとサブフレームインデックスが一致しないＦＤＤセル１２０２のアップリンクサブフレーム＃６でのアップリンクデータをスケジューリングするために、本発明で提案するＴＤＤセルのアップリンクサブフレームと一致しないＦＤＤセルのアップリンクサブフレームではｎ＋５ルールによる５サブフレーム前の、ＴＤＤセル１２０１のダウンリンクサブフレーム＃１でＰＤＣＣＨ１２０９が送信される。
【０１０８】
次いで、前記ＦＤＤセル１２０２のアップリンクサブフレーム＃６でスケジューリングされたＰＵＳＣＨ１２１０に対するダウンリンク制御チャンネルは本発明で提案するＴＤＤセルのアップリンクサブフレームと一致しないＦＤＤセルのアップリンクサブフレームではｎ＋５ルールによる５サブフレーム後の、ＴＤＤセル１２０１のダウンリンクサブフレーム＃１からＵＬ ｇｒａｎｔ１２１１が送信される。前記ダウンリンクサブフレーム＃１はＰＨＩＣＨが定義されていないダウンリンクサブフレームであるから、再送信要請がある場合、ＵＬ ｇｒａｎｔが送信され、ＵＬ ｇｒａｎｔが送信されない場合、アップリンクデータの復号が成功したと見なす
【０１０９】
したがって、静的ＦＤＤセル１２０２のアップリンクデータをスケジューリングし、アップリンクデータに対するダウンリンク制御チャンネルをＴＤＤセル１２０１から送信するとき、本発明で提案するＴＤＤセルのアップリンクサブフレームと一致するＦＤＤセルのアップリンクサブフレームではＴＤＤセルのＵＬ−ＤＬ設定により定義された制御チャンネル送信タイミングを用い、ＴＤＤセルのアップリンクサブフレームと一致しないＦＤＤセルのアップリンクサブフレームではｎ＋４ルールまたはｎ＋５ルールタイミングを適用することによって、既存にＴＤＤセル１２０１に定義されているより早い制御チャンネル送信タイミングを用いることができ、ＴＤＤセル１２０１に定義されているＵＬＨＡＲＱプロセスよりも多いプロセスをＦＤＤセル１２０２でスケジューリングできるからデータ送信量を増加させることができる。
図１３Ａ 及び図１３Ｂは、本発明の第７実施形態による基地局と端末の動作を示すフローチャートである。
【０１１０】
図１３Ａ及び図１３Ｂにおいて、ＦＤＤセルでのアップリンクデータをＴＤＤセルでスケジューリングし、アップリンクデータに対するダウンリンク制御チャンネルをＴＤＤセルで送信するとき、ＴＤＤセルのアップリンクサブフレームと一致するＦＤＤセルのアップリンクサブフレームではＴＤＤセルのＵＬ−ＤＬ設定により定義された制御チャンネル送信タイミングを用い、ＴＤＤセルのアップリンクサブフレームと一致しないＦＤＤセルのアップリンクサブフレームではｎ＋４ルールまたはｎ＋５ルールタイミングを適用するための基地局と端末の動作をそれぞれのフローチャートを通じて説明する。
【０１１１】
先ず、図１３Ａを参照して基地局の動作を説明する。段階１３０１で基地局はＦＤＤセルとＴＤＤセルに対する情報を端末に送信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることもできる。前記ＦＤＤセルとＴＤＤセルに対する情報はシステム情報または上位情報を通じて端末に送信する。
【０１１２】
段階１３０２において、基地局は端末のためにサブフレーム＃ｎでＦＤＤセルでのアップリンクデータに対するスケジューリングを決定する。次いで、段階１３０３で基地局はサブフレーム＃ｎでＴＤＤセルのサブフレームがアップリンクサブフレームであるかを判断する。段階１３０３でＴＤＤセルのサブフレームがアップリンクサブフレームであれば、段階１３０４で基地局は本発明で提案するＴＤＤセルのＴＤＤ ＵＬ−ＤＬ設定によるＨＡＲＱタイミングによってＴＤＤセルのダウンリンクサブフレームでＦＤＤセルアップリンクデータに対するスケジューリング情報及び制御情報を送信する。段階１３０３でＴＤＤセルのサブフレームがアップリンクサブフレームではなければ、段階１３０５で基地局は本発明で提案するｎ＋４またはｎ＋５ルールによるＨＡＲＱタイミングによってＴＤＤセルのダウンリンクサブフレームでＦＤＤセルアップリンクデータに対するスケジューリング情報及び制御情報を送信する。基地局は段階１３０４または段階１３０５での前記スケジューリング情報によって前記アップリンクデータをサブフレーム＃ｎで受信する。
【０１１３】
次いで、図１３Ｂを参照して端末の動作を説明する。段階１３１１で端末はＦＤＤセルとＴＤＤセルに対する情報を基地局から受信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることもできる。前記ＦＤＤセルとＴＤＤセルに対する情報はシステム情報または上位情報を通じて基地局から受信する。
【０１１４】
段階１３１２において、端末はサブフレーム＃ｎでＴＤＤセルのサブフレームがアップリンクサブフレームであるかを判断する。段階１３１２でＴＤＤセルのサブフレームがアップリンクサブフレームであれば、段階１３１３で端末は本発明で提案するＴＤＤセルのＴＤＤ ＵＬ−ＤＬ設定によるＨＡＲＱタイミングによってＴＤＤセルのダウンリンクサブフレームでＦＤＤセルアップリンクデータに対するスケジューリング情報及び制御情報を受信する。段階１３１２でＴＤＤセルのサブフレームがアップリンクサブフレームではなければ、段階１３１４で端末は本発明で提案するｎ＋４またはｎ＋５ルールによるＨＡＲＱタイミングによってＴＤＤセルのダウンリンクサブフレームでＦＤＤセルアップリンクデータに対するスケジューリング情報及び制御情報を受信する。端末は、段階１３１３または段階１３１４での前記スケジューリング情報によって前記アップリンクデータをサブフレーム＃ｎから送信する。
【０１１５】
図１４は、本発明の実施形態によって、ＦＤＤセルのアップリンクサブフレームでのアップデータ送信のためにＦＤＤセルで定義された制御チャンネル送信タイミングを用いた制御チャンネル送信に対する第８実施形態を示す図面である。
【０１１６】
図１４の第８実施形態を通じてＦＤＤセルでのアップリンクデータをＴＤＤセルでスケジューリングし、アップリンクデータに対するダウンリンク制御チャンネルをＴＤＤセルから送信するとき、ＦＤＤセルで定義された制御チャンネル送信タイミング、例えば、ｎ＋４ルールタイミングを適用することを説明する。
【０１１７】
先ず、図１４を参照すれば、図１４はアップリンクデータスケジューリングとダウンリンク制御チャンネル送信に対する第８実施形態を示したものであり、互いに異なるデュプレックス 方式を用いているセルが共存している状況を示したものである。
【０１１８】
図１４において、ＰセルはＴＤＤ方式１４０１であり、ＴＤＤ ＵＬ−ＤＬ設定＃３によってダウンリンクサブフレームとアップリンクサブフレームが設定されている。ＳセルはＦＤＤ方式１４０２であり、ダウンリンク送信のための周波数はｆ１であり、アップリンク送信のための周波数はｆ２である。
【０１１９】
従来技術によれば、ＴＤＤセル１４０１のアップリンクサブフレーム＃４でのアップリンクデータをスケジューリングするＰＤＣＣＨはＴＤＤセル１４０１のダウンリンクサブフレーム＃０から送信され、前記アップリンクサブフレーム＃４でのアップリンクデータに対するＨＡＲＱ−ＡＣＫとしてＵＬ ｇｒａｎｔ／ＰＨＩＣＨはＴＤＤセル１４０１のダウンリンクサブフレーム＃０から、さらに送信される。ＴＤＤセル１４０１で同じガラのサブフレームはＰＤＣＣＨをスケジューリングし、ＰＵＳＣＨを送信し、ＵＬ ｇｒａｎｔ／ＰＨＩＣＨを受信する一つのアップＨＡＲＱプロセスを構成する。
【０１２０】
ＦＤＤセルのアップリンクサブフレームのアップリンクデータ送信に対し、ＴＤＤセルでｎ＋４ルールによって制御チャンネル送信タイミングを適用する場合を説明する。この方法はＦＤＤセルでアップリンクデータが送信される時点を基準で４サブフレーム前または４サブフレーム後でＴＤＤセルのサブフレームダウンリンクがサブフレームの場合にだけ適用される。
【０１２１】
ＦＤＤセル１４０２のアップリンクサブフレーム＃４でのアップリンクデータをスケジューリングするために、本発明で提案するｎ＋４ルールによる４サブフレーム前の、ＴＤＤセル１４０１のダウンリンクサブフレーム＃０からＰＤＣＣＨ１４０３が送信される。次いで、前記ＦＤＤセル１４０２のアップリンクサブフレーム＃４でスケジューリングされたＰＵＳＣＨ１４０４に対するダウンリンク制御チャンネルは本発明で提案するｎ＋４ルールによる４サブフレーム後の、ＴＤＤセル１４０１のダウンリンクサブフレーム＃８からＵＬ ｇｒａｎｔ／ＰＨＩＣＨ１４０５が送信される。
【０１２２】
次いで、ＦＤＤセル１４０２のアップリンクサブフレーム＃１でのアップリンクデータをスケジューリングするために、本発明で提案するｎ＋４ルールによる４サブフレーム前の、ＴＤＤセル１４０１のダウンリンクサブフレーム＃７からＰＤＣＣＨ１４０６が送信される。次いで、前記ＦＤＤセル１４０２のアップリンクサブフレーム＃１でスケジューリングされたＰＵＳＣＨ１４０７に対するダウンリンク制御チャンネルは本発明で提案するｎ＋４ルールによる４サブフレーム後の、ＴＤＤセル１４０１のダウンリンクサブフレーム＃５からＵＬ ｇｒａｎｔ１４０８が送信される。前記ダウンリンクサブフレーム＃５はＰＨＩＣＨが定義されていないダウンリンクサブフレームであるから、再送信要請がある場合、ＵＬ ｇｒａｎｔが送信されて、ＵＬ ｇｒａｎｔが送信されない場合、アップリンクデータの復号が成功したことで見なす。
【０１２３】
したがって、静的ＦＤＤセル１４０２のアップリンクデータをスケジューリングし、アップリンクデータに対するダウンリンク制御チャンネルをＴＤＤセル１４０１から送信するとき、本発明で提案するＦＤＤセルのＨＡＲＱタイミングによるｎ＋４ルールを適用することによって、既存にＴＤＤセル１２０１に定義されているよりも早い制御チャンネル送信タイミングを用いることができるからデータ送信量を増加させることができる。
【０１２４】
一方、以上でＦＤＤセルでのアップリンクデータをＴＤＤセルでスケジューリングし、アップリンクデータに対するダウンリンク制御チャンネルをＴＤＤセルで送信するときのＦＤＤセルで定義された制御チャンネル送信タイミングとしてｎ＋４ルールタイミングを適用する場合を説明したが、本発明はここに限定せず、ｎ＋４ルールタイミングが適用されて動作するプロセスに影響を与えず適用可能な場合には第７実施形態で説明したｎ＋５ルールタイミングを追加的に適用することができる。
【０１２５】
すなわち、ＦＤＤセルでアップリンクデータが送信される時点を基準で５サブフレーム前または５サブフレーム後でＴＤＤセルのサブフレームがダウンリンクサブフレームの場合にｎ＋５ ルールタイミングを適用することができる。
【０１２６】
ＦＤＤセル１４０２のアップリンクサブフレームｎでのアップリンクデータをスケジューリングするために、本発明で提案するｎ＋５ルールによる５サブフレーム前の、ＴＤＤセル１４０１のダウンリンクサブフレームｎ−５でＰＤＣＣＨが送信される。次いで、前記ＦＤＤセル１４０２のアップリンクサブフレームｎでスケジューリングされたＰＵＳＣＨに対するダウンリンク制御チャンネルは本発明で提案するｎ＋５ルールによる５サブフレーム後の、ＴＤＤセル１４０１のダウンリンクサブフレームｎ＋５でＵＬ ｇｒａｎｔ／ＰＨＩＣＨ、またはＰＨＩＣＨが定義されていないダウンリンクサブフレームの場合にはＵＬ ｇｒａｎｔが送信される。
図１５Ａ及び図１５Ｂは本発明の第８実施形態による基地局と端末の動作を示すフローチャートである。
【０１２７】
図１５Ａ及び図１５Ｂにおいて、ＦＤＤセルのアップリンクデータをスケジューリングし、アップリンクデータに対するダウンリンク制御チャンネルをＴＤＤセルから送信するとき、ＴＤＤセルのアップリンクデータスケジューリングタイミング及びダウンリンク制御チャンネル送信タイミングを適用するための基地局と端末の動作をそれぞれのフローチャートを通じて説明する。
【０１２８】
先ず、図１５Ａを参照して基地局の動作を説明する。段階１５０１で基地局はＦＤＤセルとＴＤＤセルに対する情報を端末に送信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることもできる。前記ＦＤＤセルとＴＤＤセルに対する情報はシステム情報または上位情報を通じて端末に送信する。
【０１２９】
段階１５０２において、基地局は端末のためにＴＤＤセルのサブフレーム＃(ｎ-４)でＦＤＤセルでのアップリンクデータに対するスケジューリングを決定し、スケジューリング情報を端末に送信する。次いで、段階１５０３で基地局はＦＤＤセルのサブフレーム＃ｎでアップリンクデータを受信する。段階１５０４で基地局はＴＤＤセルのサブフレーム＃(ｎ＋４)でＦＤＤセルでのアップリンクデータに対する制御情報を端末に送信する。
【０１３０】
次いで、図１５Ｂを参照して端末の動作を説明する。段階１５１１で端末はＦＤＤセルとＴＤＤセルに対する情報を基地局から受信する。前記ＦＤＤセルとＴＤＤセルに対する情報はＦＤＤセルのアップリンク及びダウンリンク周波数情報であることもでき、ＴＤＤセルのＵＬ−ＤＬ設定情報であることもできる。端末は前記ＦＤＤセルとＴＤＤセルに対する情報をシステム情報または上位情報を通じて受信する。段階１５１２で端末はＴＤＤセルのサブフレーム＃(ｎ-４)でＦＤＤセルでのアップリンクデータに対するスケジューリング情報を受信する。段階１５１３で端末は前記段階１５１２でのスケジューリング情報に基づいてＦＤＤセルのサブフレーム＃ｎからアップリンクデータを送信する。次いで段階１５１４で端末はＴＤＤセルのサブフレーム＃(ｎ＋４)でＦＤＤセルでのアップリンクデータに対する制御情報を受信する。
【０１３１】
本発明の一部実施形態によれば、ＴＤＤセルのアップリンクサブフレームと一致するＦＤＤセルのアップリンクサブフレームではＴＤＤセルのＵＬ−ＤＬ設定によって定義された制御チャンネル送信タイミングを用い、ＴＤＤセルのアップリンクサブフレームと一致しないＦＤＤセルのアップリンクサブフレームではｎ＋４ルールまたはｎ＋５ルールタイミングを用いた制御チャンネル送信に対する第７実施形態でのＨＡＲＱタイミングを用いてＦＤＤセルでのアップリンクデータをスケジューリングし、スケジューリングされたアップリンクデータに対するＨＡＲＱ−ＡＣＫをＴＤＤセルのダウンリンクサブフレームで送信するとき、ＦＤＤセルだけが共存する状況とは差異が発生する。
【０１３２】
例えば、ＦＤＤセルだけが共存する状況では４サブフレーム前のダウンリンクサブフレームを通じて毎アップリンクサブフレームでＰＵＳＣＨがスケジューリングされることができ、ＰＵＳＣＨがスケジューリングされるまでサブフレーム後のアップリンクサブフレームからダウンリンク制御チャンネルを通じてＨＡＲＱ−ＡＣＫ(ＰＨＩＣＨ／ＵＬ ｇｒａｎｔ)を送信することができる。したがって一つのダウンリンクサブフレームで互いに異なるインデックスを有するアップリンクサブフレームでのＰＵＳＣＨをスケジューリングしない。
【０１３３】
しかし、本発明の実施形態のようにＴＤＤセルとＦＤＤセルが共存し、ＴＤＤセルがＰセルと設定され、前記ＴＤＤセルのＵＬ−ＤＬ設定が＃０であり、ＦＤＤセルのアップリンクデータに対するスケジューリングをＰセルであるＴＤＤセルでする場合、ＦＤＤセルでの多数のアップリンクサブフレームでのＰＵＳＣＨに対するスケジューリングを行うためのＰＤＣＣＨをＴＤＤセルの一つのダウンリンクサブフレームから送信しなければならない。
【０１３４】
従来技術でＴＤＤセルのＵＬ−ＤＬ設定が＃０であるとき、ダウンリンクサブフレームの個数よりアップリンクサブフレームの個数が多いから、一つのダウンリンクサブフレームを通じて多数のアップリンクサブフレームでのＰＵＳＣＨをスケジューリングできるように、ＵＬ ｉｎｄｅｘフィールドがＰＤＣＣＨに含まれる。従来技術でＵＬ ｉｎｄｅｘフィールドが“１１”と設定される場合、多数のアップリンクサブフレームでのＰＵＳＣＨをスケジューリングすることに設定されている。
【０１３５】
したがって、本発明の実施形態によれば、前記の通りにＦＤＤセルがＴＤＤセルと共存し、ＴＤＤセルがＰセルであると共にＵＬ−ＤＬ設定が＃０であり、ＦＤＤセルがＳセルの場合、ＦＤＤセルでのＰＵＳＣＨをスケジューリングするためのＰＤＣＣＨにＵＬ ｉｎｄｅｘフィールドが含まれ、ＦＤＤセルの多数のアップリンクサブフレームでＰＵＳＣＨをスケジューリングするためにＵＬ ｉｎｄｅｘフィールドが用いられる。
【０１３６】
図１６は、本発明の第９実施形態による制御情報送信過程を示す図面である。
図１６を参照すれば、ＦＤＤセル１６０１がＰセルであり、ＴＤＤセル１６０２がＳセルであり、ＴＤＤ ＵＬ−ＤＬ設定が＃０である。
図１２乃至図１５を参照して説明した実施形態ではＦＤＤセルがＳセルであり、ＴＤＤセルがＰセルであるが、図１６の実施形態は反対の場合である。
【０１３７】
図１６を参照して説明すれば、ＴＤＤセル１６０２のアップリンクデータをスケジューリングするＰＤＣＣＨ１６０３がＦＤＤセル１６０１のダウンリンクサブフレーム＃８から送信されると、前記ＰＤＣＣＨ１６０３がスケジューリングするアップリンクデータはＦＤＤセルのダウンリンク制御チャンネル送信に対するアップリンクデータ送信タイミングによる４サブフレーム後の、ＴＤＤセル１６０２のアップリンクサブフレーム＃２でＰＵＳＣＨ１６０４が送信されることができる。
【０１３８】
したがって、ＵＬ−ＤＬ設定＃０を有するＴＤＤセルのアップリンクサブフレームでＰＵＳＣＨがスケジューリングされるにもかかわらず、ＦＤＤセルの毎ダウンリンクサブフレームでのＰＤＣＣＨを通じてＴＤＤセルの毎アップリンクサブフレームでのＰＵＳＣＨをスケジューリングできる。この場合、端末がＴＤＤセルの多数のアップリンクサブフレームでのＰＵＳＣＨを送信するようにするためのＵＬ ｉｎｄｅｘフィールドが不必要である。
【０１３９】
したがって、前記の通りにＦＤＤセルがＴＤＤセルと共存し、ＦＤＤセルがＰセルであり、ＵＬ−ＤＬ設定＃０のＴＤＤセルがＳセルの場合、ＴＤＤセルでのＰＵＳＣＨをスケジューリングするためのＰＤＣＣＨでＵＬ ｉｎｄｅｘフィールドが用いられないこともある。変形形態によれば、ＴＤＤセルのＰＵＳＣＨをスケジューリングするためのＰＤＣＣＨのＵＬ ｉｎｄｅｘフィールドが０と設定されることができる。他の変形形態によればＰＤＣＣＨがＵＬ ｉｎｄｅｘフィールドを含まない。
【０１４０】
図１０は、本発明の実施形態による基地局装置を示す図面である。
図１０を参照すれば、基地局装置はＰＤＣＣＨブロック１００５、ＰＤＳＣＨブロック１０１６、ＰＨＩＣＨブロック１０２４、マルチプレクサー１０１５から構成される送信部と、ＰＵＳＣＨブロック１０３０、ＰＵＣＣＨブロック１０３９、デマルチプレクサー１０４９から構成される受信部と、ＤＬ／ＵＬ ＨＡＲＱ−ＡＣＫ送受信タイミング制御を含む制御部１００１、スケジューラー１００３から構成される。
【０１４１】
ここで、ＤＬ／ＵＬ ＨＡＲＱ−ＡＣＫ送受信タイミングはＰＤＳＣＨ送信に対するＰＵＣＣＨ送信タイミング、ＰＤＣＣＨ送信に対するＰＵＳＣＨタイミング及びＰＵＳＣＨ送信に対するＵＬ ｇｒａｎｔ／ＰＨＩＣＨタイミングをいずれも含むことにする。多数のセルでの送受信のために送信部と受信部(ＰＵＣＣＨブロックは除く)は多数であることができるが、説明のために送信部と受信部がそれぞれ１個ずつあることを仮定して説明する。
【０１４２】
送信部において、ＰＤＣＣＨブロック１００５はＤＣＩフォーマッタ１００７、チャンネルコーディング部１００９、レートマッチングユニット１０１１、変調器１０１３を備え、ＰＤＳＣＨブロック１０１６はデータバッファ１０１７、チャンネルコーディング部１０１９、レートマッチングユニット１０２１、変調器１０２３を備え、ＰＨＩＣＨブロック１０２４はＨＡＲＱ ＡＣＫ／ＮＡＣＫジェネレータ１０２５、ＰＨＩＣＨフォーマッタ１０２７、変調器１０２９を備える。
【０１４３】
受信部において、ＰＵＳＣＨブロック１０３０は復調器１０３７、デレートマッチングユニット１０３５、チャンネルデコーディング部１０３３、データ獲得部１０３１を備え、ＰＵＣＣＨブロックは復調器１０４７、デレートマッチングユニット１０４５、チャンネルデコーディング部１０４３、ＡＣＫ／ＮＡＣＫ或いはＣＱＩ獲得部１０４１を備える。
【０１４４】
ＤＬ／ＵＬ ＨＡＲＱ−ＡＣＫ送受信タイミング制御を含む制御部１００１は、端末に送信するデータ量、システム内に使用可能のリソース量などを参考してスケジューリングしようとする端末に対してそれぞれの物理チャンネルの相互間のタイミング関係を調節してスケジューラー１００３、ＰＤＣＣＨブロック１００５、ＰＤＳＣＨブロック１０１６、ＰＨＩＣＨブロック１０２４、ＰＵＳＣＨブロック１０３０、ＰＵＣＣＨブロック１０３９へ通知する。前記ＤＬ／ＵＬ ＨＡＲＱ−ＡＣＫ送受信タイミング関係は本発明の具体的な実施形態で説明した方法による。
【０１４５】
ＰＤＣＣＨブロック１００５は、スケジューラー１００３の制御を受けてＤＣＩを構成した後(１００７)、ＤＣＩはチャンネルコーディング部１００９でエラー訂正能力が付加された後、レートマッチングユニット１０１１で実際マッピングされるリソース量に合わせてレートマッチングされた後、変調器１０１３で変調された後、マルチプレクサー１０１５で他の信号と多重化される。
【０１４６】
ＰＤＳＣＨブロック１０１６は、スケジューラー１００３の制御を受けてデータバッファー１０１７から送信しようとするデータを抽出し、抽出されたデータはチャンネルコーディング部１０１９でエラー訂正能力が付加された後、レートマッチングユニット１０２１で実際マッピングされるリソース量に合わせてレートマッチングされた後、変調器１０２３で変調された後、マルチプレクサー１０１５で他の信号と多重化される。
【０１４７】
ＰＨＩＣＨブロック１０２４は、スケジューラー１００３の制御を受けてＨＡＲＱ ＡＣＫ／ＮＡＣＫジェネレータ１０２５で端末から受信したＰＵＳＣＨに対するＨＡＲＱ ＡＣＫ／ＮＡＣＫを生成する。前記ＨＡＲＱ ＡＣＫ／ＮＡＣＫはＰＨＩＣＨフォーマッタ１０２７を通じてＰＨＩＣＨチャンネル構造に当るように構成され、変調器１０２９で変調された後、マルチプレクサー１０１５で他の信号と多重化される。
そして、前記多重化された信号はＯＦＤＭ 信号と生成されて端末へ送信される。
【０１４８】
受信部において、ＰＵＳＣＨブロック１０３０は端末から受信した信号に対してデマルチプレクサー１０４９を通じてＰＵＳＣＨ信号を分離した後、復調器1０３７で復調した後、デレートマッチング部１０３５でレートマッチング以前のシンボルを再構成した後、チャンネルデコーディング部１０３３でデコーディングし、データ獲得部１０３１でＰＵＳＣＨデートを獲得する。
【０１４９】
前記データ獲得部１０３１は、デコーディング結果に対するエラーであるか否かをスケジューラー１００３へ通知してダウンリンクＨＡＲＱ ＡＣＫ／ＮＡＣＫ生成を調整し、デコーディング結果に対するエラーであるか否かをＤＬ／ＵＬ ＨＡＲＱ−ＡＣＫ送受信タイミング制御をする制御部１００１で認可してダウンリンクＨＡＲＱ ＡＣＫ／ＮＡＣＫ送信タイミングを調整する。
【０１５０】
ＰＵＣＣＨブロック１０３０は、本発明の実施形態によるＤＬ／ＵＬ ＨＡＲＱ−ＡＣＫ送受信タイミングによって端末から受信した信号に対してデマルチプレクサー１０４９を通じてＰＵＣＣＨ信号を分離した後、これを復調器１０４７で復調した後、チャンネルデコーディング部１０３３でデコーディングし、アップリンクＡＣＫ／ＮＡＣＫ或いはＣＱＩ獲得部1０４１でアップリンクＡＣＫ／ＮＡＣＫ或いはＣＱＩを獲得する。前記獲得したアップリンクＡＣＫ／ＮＡＣＫ或いはＣＱＩはスケジューラー１００３で認可されてＰＵＳＣＨの再送信可否及びＭＣＳ(ｍｏｄｕｌａｔｉｏｎ ａｎｄ ｃｏｄｉｎｇ ｓｃｈｅｍｅ)を決定することに用いられる。そして前記獲得したアップリンクＡＣＫ／ＮＡＣＫは制御部１００１で認可されてＰＤＳＣＨの送信タイミングを調整する。
【０１５１】
図１１は、本発明の実施形態による端末装置を示す図面である。
図１１を参照すれば、端末はＰＵＣＣＨブロック１１０５、ＰＵＳＣＨブロック１１１６、マルチプレクサー１１１５から構成される送信部と、ＰＨＩＣＨブロック１１２４、ＰＤＳＣＨブロック１１３０、ＰＤＣＣＨブロック１１３９、デマルチプレクサー１１４９から構成される受信部と、ＤＬ／ＵＬ ＨＡＲＱ−ＡＣＫ送受信タイミング制御を含む制御部１１０１と、から構成される。
【０１５２】
送信部において、ＰＵＣＣＨブロック１１０５はＵＣＩフォーマッタ１１０７、チャンネルコーディング部１１０９、変調器１１１３を備え、ＰＵＳＣＨブロック１１１６はデータバッファ１１１８、チャンネルコーディング部１１１９、レートマッチングユニット１１２１、変調器１１２３を備える。受信部において、ＰＨＩＣＨブロック１１２４はＨＡＲＱ ＡＣＫ／ＮＡＣＫ獲得機１１２５、変調器１１２９を備え、ＰＤＳＣＨブロック１１３０は復調器１１３７、デレートマッチングユニット１１３５、チャンネルデコーディング部１１３３、データ獲得部１１３１を備え、ＰＤＣＣＨブロック１１３９は復調器１１４７、デレートマッチングユニット１１４５、チャンネルデコーディング部１１４３、ＤＣＩ獲得部１１４１を備える。
【０１５３】
多数のセルでの送受信のために送信部と受信部(ＰＵＣＣＨブロック除外)は多数であることができるが、説明のために送信部と受信部がそれぞれ１個ずつあることを仮定して説明する。
【０１５４】
ＤＬ／ＵＬ ＨＡＲＱ−ＡＣＫ送受信タイミングを制御する制御部１１０１は基地局から受信したＤＣＩからｓｅｌｆ−ｓｃｈｅｄｕｌｉｎｇまたはｃｒｏｓｓ ｃａｒｒｉｅｒ ｓｃｈｅｄｕｌｉｎｇのときのあるセルからＰＤＳＣＨを受信するか、若しくはＰＵＳＣＨを送信するか可否と、ＤＬ／ＵＬ ＨＡＲＱ−ＡＣＫ送信のためのセル選択及びそれぞれの物理チャンネルの間の送受信タイミング関係を調節してＰＵＣＣＨブロック１１０５、ＰＵＳＣＨブロック１１１６、ＰＨＩＣＨブロック１１２４、ＰＤＳＣＨブロック１１３０、ＰＤＣＣＨブロック１１３９へ通知する。前記 ＤＬ／ＵＬ ＨＡＲＱ−ＡＣＫ送受信タイミング関係は本発明の具体的な実施形態で説明した方法に付く。
【０１５５】
ＰＵＣＣＨブロック１１０５は、ＤＬ／ＵＬ ＨＡＲＱ−ＡＣＫ送受信タイミングを制御する制御部１１０１のタイミング制御を受けてＵＣＩ(Ｕｐｌｉｎｋ ｃｏｎｔｒｏｌ ｉｎｆｏｒｍａｔｉｏｎ)でＨＡＲＱ ＡＣＫ／ＮＡＣＫ或いはＣＱＩを構成した後(１１０７)、ＵＣＩはチャンネルコーディング部１１０９でエラー訂正能力が付加され、変調器１１１３で変調された後、マルチプレクサー１１１５で他の信号と多重化される。
【０１５６】
ＰＵＳＣＨブロック１１１６は、データバッファー１１１８から送信しようとするデータを抽出し、抽出されたデータはチャンネルコーディング部１１１９でエラー訂正能力が付加された後、レートマッチングユニット１１２１で実際マッピングされるリソース量に合わせてレートマッチングされた後、変調器１１２３で変調された後、マルチプレクサー１１１５で他の信号と多重化される。
【０１５７】
そして、前記多重化された信号はＳＣ-ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)信号と生成されて本発明による ＤＬ／ＵＬ ＨＡＲＱ−ＡＣＫ送受信タイミングを考慮して基地局へ送信される。
【０１５８】
受信部において、ＰＨＩＣＨブロック１１２４は端末からＤＬ／ＵＬ ＨＡＲＱ−ＡＣＫ送受信タイミングによって受信した信号に対してデマルチプレクサー１１４９を通じてＰＨＩＣＨ信号を分離した後、復調器１１２９で復調された後、ＨＡＲＱ ＡＣＫ／ＮＡＣＫ獲得部１１２５で ＰＵＳＣＨに対するＨＡＲＱ ＡＣＫ／ＮＡＣＫ可否を獲得する。
【０１５９】
ＰＤＳＣＨ ブロック１１３０は、基地局から受信した信号に対してデマルチプレクサー１１４９を通じてＰＤＳＣＨ 信号を分離した後、復調器１１３７で復調した後、デレートマッチング部１１３５でレートマッチング以前のシンボルを再構成した後、チャンネルデコーディング部１１３３でデコーディングし、データ獲得部１１３１でＰＤＳＣＨ データを獲得する。
【０１６０】
前記データ獲得部１１３１は、デコーディング結果に対するエラー可否をＰＵＣＣＨブロック１１０５で通知してアップリンクＨＡＲＱ ＡＣＫ／ＮＡＣＫ生成を調整し、デコーディング結果に対するエラーであるか否かをＤＬ／ＵＬ ＨＡＲＱ−ＡＣＫ送受信タイミングを制御する制御部１１０１で認可してアップリンクＨＡＲＱ ＡＣＫ／ＮＡＣＫ送信するときのタイミングを調整する。
【０１６１】
ＰＤＣＣＨブロック１１３９は、基地局から受信した信号に対してデマルチプレクサー１１４９を通じてＰＤＣＣＨ信号を分離した後、これを復調器１１４７で復調した後、チャンネルデコーディング部１１３３でデコーディングし、ＤＣＩ獲得部１１４１でＤＣＩを獲得する。
【０１６２】
本発明の図面に示された多様な実施例を参照して説明したが、添付された請求項及び均等物により定義される本発明の思想及び範囲を逸脱せず形態と具体的部分の多様な変化を行うことが当業者に自明なことに理解されなければならない。
【符号の説明】
【０１６３】
１０１  基地局
１０２  ＴＤＤセル
１０３  ＦＤＤセル
１０４  端末
１１１  マクロ基地局
１１２  ピコ基地局
１１３  通信
１１４  端末
１１５  ＴＤＤ方式
１１６  ＦＤＤ方式
１００１  制御部
１００３  スケジューラー
１００５  ＰＤＣＣＨブロック
１００７  ＤＣＩフォーマッタ
１００９  チャンネルコーディング部
１０１１  レートマッチングユニット
１０１３  変調器
１０１５  マルチプレクサー
１０１６  ＰＤＳＣＨブロック
１０１７  データバッファ
１０１９  チャンネルコーディング部
１０２１  レートマッチングユニット
１０２３  変調器
１０２４  ＰＨＩＣＨブロック
１０２５  ＮＡＣＫジェネレータ
１０２７  ＰＨＩＣＨフォーマッタ
１０２９  変調器
１０３０  ＰＵＳＣＨブロック
１０３１  データ獲得部
１０３３  チャンネルデコーディング部
１０３５  デレートマッチング部
１０３７  復調器
１０３９  ＰＵＣＣＨブロック
１０４１  ＣＱＩ獲得部
１０４３  チャンネルデコーディング部
１０４５  デレートマッチングユニット
１０４７  復調器
１０４９  デマルチプレクサー
１１０１  制御部
１１０５  ＰＵＣＣＨブロック
１１０７  ＵＣＩフォーマッタ
１１０９  チャンネルコーディング部
１１１３  変調器
１１１５  マルチプレクサー
１１１６  ＰＵＳＣＨブロック
１１１８  データバッファー
１１１９  チャンネルコーディング部
１１２１  レートマッチングユニット
１１２３  変調器
１１２４  ＰＨＩＣＨブロック
１１２５  ＮＡＣＫ獲得部
１１２９  復調器
１１３０  ＰＤＳＣＨブロック
１１３１  データ獲得部
１１３３  チャンネルデコーディング部
１１３５  デレートマッチングユニット
１１３７  復調器
１１３９  ＰＤＣＣＨブロック
１１４１  ＤＣＩ獲得部
１１４３  チャンネルデコーディング部
１１４５  デレートマッチングユニット
１１４７  復調器
１１４９  デマルチプレクサー
【図１ａ】
0006363073.tif 000002
【図１ｂ】
0006363073.tif 000003
【図２ａ】
0006363073.tif 000004
【図２ｂ】
0006363073.tif 000005
【図３Ａ】
0006363073.tif 000006
【図３Ｂ】
0006363073.tif 000007
【図４ａ】
0006363073.tif 000008
【図４ｂ】
0006363073.tif 000009
【図５Ａ】
0006363073.tif 000010
【図５Ｂ】
0006363073.tif 000011
【図６】
0006363073.tif 000012
【図７Ａ】
0006363073.tif 000013
【図７Ｂ】
0006363073.tif 000014
【図８】
0006363073.tif 000015
【図９Ａ】
0006363073.tif 000016
【図９Ｂ】
0006363073.tif 000017
【図１０】
0006363073.tif 000018
【図１１】
0006363073.tif 000019
【図１２】
0006363073.tif 000020
【図１３Ａ】
0006363073.tif 000021
【図１３Ｂ】
0006363073.tif 000022
【図１４】
0006363073.tif 000023
【図１５Ａ】
0006363073.tif 000024
【図１５Ｂ】
0006363073.tif 000025
【図１６】
0006363073.tif 000026